(57)【要約】  本開示は、データ伝送方法及び通信機器を提供する。前記データ伝送方法は、通信機器送信側のＲＲＣレイヤエンティティーのＲＲＣセグメンテーション機能又は新しいプロトコルレイヤエンティティーのＲＲＣセグメンテーション機能を利用して、それぞれが前記通信機器送信側により生成されたＲＲＣメッセージにおけるデータコンテンツの一部を携帯している複数のＲＲＣセグメントを生成することと、前記複数のＲＲＣセグメントを通信機器受信側に送信することとを含む。
2022502954.tif 000002
【特許請求の範囲】
【請求項１】
端末とネットワーク機器のいずれか一つである通信機器送信側に用いられるデータ伝送方法であって、
前記通信機器送信側の無線リソース制御ＲＲＣレイヤエンティティーのＲＲＣセグメンテーション機能又は新しいプロトコルレイヤエンティティーのＲＲＣセグメンテーション機能を利用して、それぞれが前記通信機器送信側により生成されたＲＲＣメッセージにおけるデータコンテンツの一部を携帯している複数のＲＲＣセグメントを生成することと、
前記複数のＲＲＣセグメントを通信機器受信側に送信することとを含む、データ伝送方法。
【請求項２】
前記通信機器送信側が端末である場合に、前記新しいプロトコルレイヤエンティティーは、
シグナリング無線ベアラＳＲＢに関連すること、データベアラＤＲＢに関連すること、端末に関連すること、およびセルグループに関連すること、のうちの一つであり、
又は、前記通信機器送信側がネットワーク機器である場合に、前記新しいプロトコルレイヤエンティティーは、
ＳＲＢに関連すること、ＤＲＢに関連すること、およびセルグループに関連すること、のうちの一つである、請求項１に記載の方法。
【請求項３】
前記通信機器送信側が端末であり、且つ前記新しいプロトコルレイヤエンティティーがセルグループに関連する場合に、前記方法は、
新しいプロトコルレイヤエンティティーの配置関連情報を含むセルグループ配置情報をネットワーク機器から受信することと、
前記新しいプロトコルレイヤエンティティーがまだ確立されていない場合に、前記新しいプロトコルレイヤエンティティーの配置関連情報に基づいて、一次セルグループＭＣＧ及び／又は二次セルグループＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起することとをさらに含み、
又は、
前記通信機器送信側がネットワーク機器であり、且つ前記新しいプロトコルレイヤエンティティーがセルグループに関連する場合に、前記方法は、
新しいプロトコルレイヤエンティティーの配置関連情報を含むセルグループ配置情報を取得することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うこととをさらに含む、請求項２に記載の方法。
【請求項４】
前記通信機器送信側が端末であり、且つ前記新しいプロトコルレイヤエンティティーがＳＲＢ又はＤＲＢに関連する場合に、前記方法は、
ネットワーク機器からＳＲＢの配置情報又はＤＲＢの配置情報を受信することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含み、
又は、
前記通信機器送信側がネットワーク機器であり、且つ前記新しいプロトコルレイヤエンティティーがＳＲＢ又はＤＲＢに関連する場合に、前記方法は、
ＳＲＢの配置情報又はＤＲＢの配置情報を取得することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含む、請求項２に記載の方法。
【請求項５】
前記通信機器送信側が端末である場合に、前記方法は、
ネットワーク機器から前記ＲＲＣセグメンテーション機能のアクティブ化シグナリング又は非アクティブ化シグナリングを受信することと、
前記アクティブ化シグナリングに基づき、前記ＲＲＣセグメンテーション機能に対してアクティブ化処理を行い、又は、前記非アクティブ化シグナリングに基づき、前記ＲＲＣセグメンテーション機能に対して非アクティブ化処理を行うこととをさらに含む、請求項１に記載の方法。
【請求項６】
前記ＲＲＣセグメンテーション機能のアクティブ化条件は、
ネットワーク機器が、端末から報告された能力情報の一部を受信したこと、
ネットワーク機器が、端末から送信された、前記端末の能力情報がパケットデータコンバージェンスプロトコルＰＤＣＰサービスデータユニットＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つである、請求項５に記載の方法。
【請求項７】
前記ＲＲＣセグメンテーション機能の非アクティブ化条件は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つである、請求項５に記載の方法。
【請求項８】
前記アクティブ化シグナリングは、
メディアアクセス制御レイヤＭＡＣ制御ユニットＣＥ、下りリンク制御情報ＤＣＩ及びＲＲＣメッセージ、のうちの少なくとも１つを採用し、
前記非アクティブ化シグナリングは、
ＭＡＣ  ＣＥ、ＤＣＩ及びＲＲＣメッセージ、のうちの少なくとも１つを採用する、請求項５に記載の方法。
【請求項９】
前記ＲＲＣセグメンテーション機能を担持するＲＲＣレイヤエンティティー又は新しいプロトコルレイヤエンティティーがＳＲＢに関連する場合に、前記アクティブ化シグナリングには、相応なＳＲＢのアクティブ化指示情報が含まれ、前記非アクティブ化シグナリングには、相応なＳＲＢの非アクティブ化指示情報が含まれ、
又は、前記ＲＲＣセグメンテーション機能を担持するＲＲＣレイヤエンティティー又は新しいプロトコルレイヤエンティティーがＤＲＢに関連する場合に、前記アクティブ化シグナリングには、相応なＤＲＢのアクティブ化指示情報が含まれ、前記非アクティブ化シグナリングには、相応なＤＲＢの非アクティブ化指示情報が含まれ、
又は、前記ＲＲＣセグメンテーション機能を担持するＲＲＣレイヤエンティティー又は新しいプロトコルレイヤエンティティーがセルグループに関連する場合に、前記アクティブ化シグナリングには、相応なＭＣＧ及び／又はＳＣＧのアクティブ化指示情報が含まれ、前記非アクティブ化シグナリングには、相応なＭＣＧ及び／又はＳＣＧの非アクティブ化指示情報が含まれ、
又は、前記ＲＲＣセグメンテーション機能が予め設定されるＲＲＣメッセージに対して有効になっている場合に、前記アクティブ化シグナリングには、前記アクティブ化シグナリングが対応するＲＲＣメッセージを指示するための指示情報が含まれ、前記非アクティブ化シグナリングには、前記非アクティブ化シグナリングが対応するＲＲＣメッセージを指示するための指示情報が含まれる、請求項５に記載の方法。
【請求項１０】
前記通信機器送信側が端末である場合に、前記ＲＲＣセグメンテーション機能は、
携帯されたデータ部分のサイズが第２の予め設定されるしきい値よりも大きいＲＲＣメッセージ、
端末能力を報告するためのＲＲＣメッセージ、のうちの少なくとも１つに対応し、
又は、
前記通信機器送信側がネットワーク機器である場合に、前記ＲＲＣセグメンテーション機能は、
携帯されたデータ部分のサイズが第３の予め設定されるしきい値よりも大きいＲＲＣメッセージ、
ＲＲＣ再配置メッセージ、
チャネル状態情報リファレンス信号ＣＳＩ−ＲＳに関連する測定配置情報が携帯されているＲＲＣメッセージ、および
ランダムアクセスチャネルＲＡＣＨ配置情報が携帯されているＲＲＣメッセージ、のうちの少なくとも１つに対応する、請求項１に記載の方法。
【請求項１１】
端末とネットワーク機器のいずれか一つである通信機器受信側に用いられるデータ伝送方法であって、
通信機器送信側から、それぞれが前記通信機器送信側により生成されたＲＲＣメッセージにおけるデータコンテンツの一部を携帯している複数のＲＲＣセグメントを受信することと、
前記通信機器受信側のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得ることとを含む、データ伝送方法。
【請求項１２】
前記通信機器受信側が端末である場合に、前記新しいプロトコルレイヤエンティティーは、
ＳＲＢに関連すること、ＤＲＢに関連すること、端末に関連すること、およびセルグループに関連すること、のうちの１つであり、
又は、前記通信機器受信側がネットワーク機器である場合に、前記新しいプロトコルレイヤエンティティーは、
ＳＲＢに関連すること、ＤＲＢに関連すること、およびセルグループに関連すること、のうちの一つである、請求項１１に記載の方法。
【請求項１３】
前記通信機器受信側が端末であり、且つ前記新しいプロトコルレイヤエンティティーがセルグループに関連する場合に、前記方法は、
新しいプロトコルレイヤエンティティーの配置関連情報を含むセルグループ配置情報をネットワーク機器から受信することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起することとをさらに含み、
又は、
前記通信機器受信側がネットワーク機器であり、且つ前記新しいプロトコルレイヤエンティティーがセルグループに関連する場合に、前記方法は、
新しいプロトコルレイヤエンティティーの配置関連情報を含むセルグループ配置情報を取得することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うこととをさらに含む、請求項１１に記載の方法。
【請求項１４】
前記通信機器受信側が端末であり、且つ前記新しいプロトコルレイヤエンティティーがＳＲＢ又はＤＲＢに関連する場合に、前記方法は、
ネットワーク機器からＳＲＢの配置情報又はＤＲＢの配置情報を受信することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含み、
又は、
前記通信機器受信側がネットワーク機器であり、且つ前記新しいプロトコルレイヤエンティティーがＳＲＢ又はＤＲＢに関連する場合に、前記方法は、
ＳＲＢの配置情報又はＤＲＢの配置情報を取得することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含む、請求項１３に記載の方法。
【請求項１５】
前記通信機器受信側が端末である場合に、前記方法は、
ネットワーク機器から前記ＲＲＣ再編成機能のアクティブ化シグナリング又は非アクティブ化シグナリングを受信することと、
前記アクティブ化シグナリングに基づき、前記ＲＲＣ再編成機能に対してアクティブ化処理を行い、又は、前記非アクティブ化シグナリングに基づき、前記ＲＲＣ再編成機能に対して非アクティブ化処理を行うこととをさらに含む、請求項１１に記載の方法。
【請求項１６】
前記ＲＲＣ再編成機能を担持するＲＲＣレイヤエンティティー又は新しいプロトコルレイヤエンティティーがＳＲＢに関連する場合に、前記アクティブ化シグナリングには、相応なＳＲＢのアクティブ化指示情報が含まれ、前記非アクティブ化シグナリングには、相応なＳＲＢの非アクティブ化指示情報が含まれ、
又は、前記ＲＲＣ再編成機能を担持するＲＲＣレイヤエンティティー又は新しいプロトコルレイヤエンティティーがＤＲＢに関連する場合に、前記アクティブ化シグナリングには、相応なＤＲＢのアクティブ化指示情報が含まれ、前記非アクティブ化シグナリングには、相応なＤＲＢの非アクティブ化指示情報が含まれ、
又は、前記ＲＲＣ再編成機能を担持するＲＲＣレイヤエンティティー又は新しいプロトコルレイヤエンティティーがセルグループに関連する場合に、前記アクティブ化シグナリングには、相応なＭＣＧ及び／又はＳＣＧのアクティブ化指示情報が含まれ、前記非アクティブ化シグナリングには、相応なＭＣＧ及び／又はＳＣＧの非アクティブ化指示情報が含まれる、請求項１５に記載の方法。
【請求項１７】
前記通信機器受信側がネットワーク機器である場合に、前記方法は、
端末にアクティブ化シグナリング又は非アクティブ化シグナリングを送信することを含み、
そのうち、前記アクティブ化シグナリングは、前記端末のＲＲＣレイヤエンティティーのＲＲＣセグメンテーション機能又は新しいプロトコルレイヤエンティティーのＲＲＣセグメンテーション機能をアクティブ化することを指示するために用いられ、
前記非アクティブ化シグナリングは、前記端末のＲＲＣレイヤエンティティーのＲＲＣセグメンテーション機能又は新しいプロトコルレイヤエンティティーのＲＲＣセグメンテーション機能を非アクティブ化することを指示するために用いられる、請求項１１に記載の方法。
【請求項１８】
前記ＲＲＣセグメンテーション機能のアクティブ化条件は、
ネットワーク機器が、端末から報告された能力情報の一部を受信したこと、
ネットワーク機器が、端末から送信された、前記端末の能力情報がＰＤＣＰ  ＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つである、請求項１７に記載の方法。
【請求項１９】
前記ＲＲＣセグメンテーション機能の非アクティブ化条件は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つである、請求項１７に記載の方法。
【請求項２０】
送信側であり、且つ端末とネットワーク機器のいずれか一つである通信機器であって、
前記通信機器のＲＲＣレイヤエンティティーのＲＲＣセグメンテーション機能又は新しいプロトコルレイヤエンティティーのＲＲＣセグメンテーション機能を利用して、それぞれが前記通信機器により生成されたＲＲＣメッセージにおけるデータコンテンツの一部を携帯している複数のＲＲＣセグメントを生成するための生成モジュールと、
前記複数のＲＲＣセグメントを通信機器受信側に送信するための送信モジュールとを備える、通信機器。
【請求項２１】
受信側であり、且つ端末とネットワーク機器のいずれか一つである通信機器であって、
通信機器送信側から、それぞれが前記通信機器送信側により生成されたＲＲＣメッセージにおけるデータコンテンツの一部を携帯している複数のＲＲＣセグメントを受信するための第４の受信モジュールと、
前記通信機器のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得るための再編成モジュールとを備える、通信機器。
【請求項２２】
メモリと、プロセッサと、前記メモリに記憶されており、前記プロセッサにて運行できるコンピュータプログラムと、を含み、前記コンピュータプログラムが前記プロセッサによって実行されるとき、請求項１〜１９のいずれか１項に記載のデータ伝送方法のステップを実現させる、通信機器。
【請求項２３】
コンピュータプログラムが記憶されており、前記コンピュータプログラムがプロセッサによって実行されるとき、請求項１〜１９のいずれか１項に記載のデータ伝送方法のステップを実現させる、コンピュータ可読記憶媒体。
【発明の詳細な説明】
【技術分野】
【０００１】
（関連出願の相互参照）
本出願は、２０１８年９月２７日に中国で提出された中国特許出願番号Ｎｏ．２０１８１１１３３７９９．６の優先権を主張しており、同出願の内容の全ては、ここに参照として取り込まれる。
本開示は、通信技術分野に関し、特にデータ伝送方法及び通信機器に関する。
【背景技術】
【０００２】
第５世代移動通信技術（５−ｔｈ  Ｇｅｎｅｒａｔｉｏｎ、５Ｇ）及びロングタームエボリューション（Ｌｏｎｇ  Ｔｅｒｍ  Ｅｖｏｌｕｔｉｏｎ、ＬＴＥ）システムにおいて、ユーザ機器（Ｕｓｅｒ  Ｅｑｕｉｐｍｅｎｔ、ＵＥ）のような端末のエアインターフェース能力は、無線リソース制御（Ｒａｄｉｏ  Ｒｅｓｏｕｒｃｅ  Ｃｏｎｔｒｏｌ、ＲＲＣ）レイヤによって報告されるものである。周波数帯域の組み合わせがますます多くなり、各組み合わせられた周波数帯域の能力が違い、マルチ入力マルチ出力（Ｍｕｌｔｉｐｌｅ−Ｉｎｐｕｔ  Ｍｕｌｔｉｐｌｅ−Ｏｕｔｐｕｔ、ＭＩＭＯ）及び無線周波数（Ｒａｄｉｏ  Ｆｒｅｑｕｅｎｃｙ、ＲＦ）能力がいずれも異なるなどの場合に直面すると、ＵＥ能力の報告は非常に大きなスペースを占める必要がある可能性がある。例えば、ＵＥは、５Ｇエアインターフェース能力報告において、１Ｇバイト（ｂｙｔｅ）の最大値に達する可能性がある。
【０００３】
また、ニューラジオ（Ｎｅｗ  Ｒａｄｉｏ、ＮＲ）システムにおいて、チャネル状態情報リファレンス信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）に関連する測定配置情報及びランダムアクセスチャネル（Ｒａｎｄｏｍ  Ａｃｃｅｓｓ  Ｃｈａｎｎｅｌ、ＲＡＣＨ）配置情報がある。そのうち、ＣＳＩ−ＲＳが使用するリソースが多すぎると、同様に、相応なＲＲＣメッセージが大きすぎることを引き起こす。
【０００４】
現在のＲＲＣレイヤエンティティーの処理メカニズムは、生成されたＲＲＣメッセージを直接的にＲＲＣプロトコルデータユニット（Ｐｒｏｔｏｃｏｌ  Ｄａｔａ  Ｕｎｉｔ、ＰＤＵ）、すなわち、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）サービスデータユニット（Ｓｅｒｖｉｃｅ  Ｄａｔａ  Ｕｎｉｔ、ＳＤＵ）として、ＰＤＣＰレイヤエンティティーに送信することである。ＰＤＣＰ  ＳＤＵのサイズの最大値は、４Ｇ（４−ｔｈ  Ｇｅｎｅｒａｔｉｏｎ）システムにおいては８１８８バイトｂｙｔｅであり、５Ｇシステムにおいては９０００  ｂｙｔｅである。
【０００５】
このように、ＲＲＣメッセージが大きすぎると、ＰＤＣＰ  ＳＤＵの制限を超え、ＲＲＣバッファの需要が大きすぎることを引き起こし、相応な通信プロセスのスムーズな進行に影響を及ぼす。
【発明の概要】
【発明が解決しようとする課題】
【０００６】
本開示の実施例は、従来のＲＲＣメッセージが大きすぎると、ＰＤＣＰ  ＳＤＵの制限を超え、ＲＲＣバッファの需要が大きすぎることを引き起こすという問題を解決するためのデータ伝送方法及び通信機器を提供する。
【課題を解決するための手段】
【０００７】
第１の態様では、本開示の実施例は、端末とネットワーク機器のいずれか一つである通信機器送信側に用いられるデータ伝送方法を提供する。前記方法は、
前記通信機器送信側のＲＲＣレイヤエンティティーのＲＲＣセグメンテーション機能又は新しいプロトコルレイヤエンティティーのＲＲＣセグメンテーション機能を利用して、それぞれが前記通信機器送信側により生成されたＲＲＣメッセージにおけるデータコンテンツの一部を携帯している複数のＲＲＣセグメントを生成することと、
前記複数のＲＲＣセグメントを通信機器受信側に送信することとを含む。
【０００８】
第２の態様では、本開示の実施例は、端末とネットワーク機器のいずれか一つである通信機器受信側に用いられるデータ伝送方法を提供する。前記方法は、
通信機器送信側から、それぞれが前記通信機器送信側により生成されたＲＲＣメッセージにおけるデータコンテンツの一部を携帯している複数のＲＲＣセグメントを受信することと、
前記通信機器受信側のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得ることとを含む。
【０００９】
第３の態様では、本開示の実施例は、送信側であり、且つ端末とネットワーク機器のいずれか一つである通信機器を提供する。前記通信機器は、
前記通信機器のＲＲＣレイヤエンティティーのＲＲＣセグメンテーション機能又は新しいプロトコルレイヤエンティティーのＲＲＣセグメンテーション機能を利用して、それぞれが前記通信機器により生成されたＲＲＣメッセージにおけるデータコンテンツの一部を携帯している複数のＲＲＣセグメントを生成するための生成モジュールと、
前記複数のＲＲＣセグメントを通信機器受信側に送信するための第１の送信モジュールとを備える。
【００１０】
第４の態様では、本開示の実施例は、受信側であり、且つ端末とネットワーク機器のいずれか一つである通信機器を提供する。前記通信機器は、
通信機器送信側から、それぞれが前記通信機器送信側により生成されたＲＲＣメッセージにおけるデータコンテンツの一部を携帯している複数のＲＲＣセグメントを受信するための第４の受信モジュールと、
前記通信機器のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得るための再編成モジュールとを備える。
【００１１】
第５の態様では、本開示の実施例は、通信機器を提供する。メモリと、プロセッサと、前記メモリに記憶されており、前記プロセッサにて運行できるコンピュータプログラムと、を含み、前記コンピュータプログラムが前記プロセッサによって実行されるとき、上述したようなデータ伝送方法のステップを実現させる。選択的に、前記通信機器は、送信側又は受信側であってもよく、端末又はネットワーク機器であってもよい。
【００１２】
第６の態様では、本開示の実施例は、コンピュータ可読記憶媒体を提供する。コンピュータプログラムが記憶されており、前記コンピュータプログラムがプロセッサによって実行されるとき、上述したようなデータ伝送方法のステップを実現させる。
【００１３】
本開示の実施例では、ＲＲＣセグメンテーション機能を利用することにより、それぞれが通信機器送信側により生成されたＲＲＣメッセージにおけるデータコンテンツの一部を携帯している複数のＲＲＣセグメントを生成する。このＲＲＣメッセージの全てのデータコンテンツがこの複数のＲＲＣセグメントによって携帯され、この複数のＲＲＣセグメントを通信機器受信側に送信することにより、ＲＲＣメッセージのセグメンテーションを実現することができる。それにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【００１４】
本開示の実施例における技術案をさらに明瞭に説明するために、以下は、本開示の実施例において使用すべき添付図面を簡単に紹介する。自明なことに、以下の記述における添付図面はただ本開示のいくつかの実施例に過ぎず、当業者にとって、創造的な労力を払わない前提で、それらの添付図面に基づいて、他の添付図面を取得することもできる。
【図面の簡単な説明】
【００１５】
【図１】本開示の実施例のデータ伝送方法のフローチャートである。
【図２】本開示の実施例の別のデータ伝送方法のフローチャートである。
【図３】本開示の実施例の通信機器の構造模式図のその１である。
【図４】本開示の実施例の通信機器の構造模式図のその２である。
【図５】本開示の実施例の端末の構造模式図である。
【図６】本開示の実施例のネットワーク機器の構造模式図である。
【発明を実施するための形態】
【００１６】
本開示の実施例における技術案をさらに明瞭に説明するために、以下は、本開示の実施例において使用すべき添付図面を簡単に紹介する。自明なことに、後述する添付図面はただ本開示のいくつかの実施例に過ぎず、当業者にとって、創造的な労力を払わない前提で、それらの添付図面に基づいて、他の添付図面を取得することもできる。
【００１７】
先ず、説明するのは、関連する技術において、ＲＲＣメッセージが大きすぎると、ＰＤＣＰ  ＳＤＵの制限を超え、ＲＲＣバッファの需要が大きすぎることを引き起こすという問題を解決するために、本開示の実施例では、ＲＲＣセグメンテーション機能が導入されている。このＲＲＣセグメンテーション機能はＲＲＣレイヤエンティティーにより担持されてもよく、新しいプロトコルレイヤエンティティーにより担持されてもよい。このように、導入されたＲＲＣセグメンテーション機能により、大きすぎるＲＲＣメッセージをセグメンテーション処理して、複数のＲＲＣセグメントを得ることができる。この複数のＲＲＣセグメントは相応なＲＲＣメッセージにおける全てのデータコンテンツを携帯することができる。この複数のＲＲＣセグメントそれぞれは相応なＲＲＣメッセージにおけるデータコンテンツの一部を携帯することができ、且つ各ＲＲＣセグメントをＰＤＣＰ  ＳＤＵとしてＰＤＣＰレイヤエンティティーに伝達することにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【００１８】
具体的に実現するとき、通信機器送信側（送信側と略称）がＲＲＣメッセージを生成した  後、相応な伝送プロセスは、送信側ＲＲＣレイヤエンティティー、送信側ＰＤＣＰレイヤエンティティー、送信側ＲＬＣレイヤエンティティー、送信側ＭＡＣレイヤエンティティー、送信側ＰＨＹレイヤエンティティー、受信側（すなわち、通信機器受信側）ＰＨＹレイヤエンティティー、受信側ＭＡＣレイヤエンティティー、受信側ＲＬＣレイヤエンティティー、受信側ＰＤＣＰレイヤエンティティーから受信側ＲＲＣレイヤエンティティーへの順序であってもよい。このように、ＲＲＣセグメンテーション機能により生成されたＲＲＣセグメントは、送信側に対してＲＲＣ  ＰＤＵの形式で存在でき、受信側に対してＰＤＣＰ  ＳＤＵとして受信され得る。すなわち、ＲＲＣ  ＰＤＵはＰＤＣＰ  ＳＤＵと同等できる。
【００１９】
無線通信システムでは、端末は二重接続（Ｄｕａｌ  Ｃｏｎｎｅｃｔｉｖｉｔｙ、ＤＣ）アーキテクチャーを採用することができる。それに対応して、一次セルグループ（Ｍａｓｔｅｒ  Ｃｅｌｌ  Ｇｒｏｕｐ、ＭＣＧ）及び二次セルグループ（Ｓｅｃｏｎｄａｒｙ  Ｃｅｌｌ  Ｇｒｏｕｐ、ＳＣＧ）の２つのセルグループを含む。このＭＣＧは、ネットワーク側の一次ノード（Ｍａｓｔｅｒ  Ｎｏｄｅ、ＭＮ）に対応し、このＳＣＧは、ネットワーク側の二次ノード（ｓｅｃｏｎｄａｒｙ  ｎｏｄｅ、ＳＮ）に対応する。このＭＣＧは一次セルＰＣｅｌｌ及び二次セルＳＣｅｌｌを含んでもよく、このＳＣＧは、一次二次セルＰＳＣｅｌｌ及び二次セルＳＣｅｌｌを含んでもよい。そのうち、ＰＣｅｌｌとＰＳＣｅｌｌはＳｐＣｅｌｌと総称できる。ベアラタイプについては、シグナリング無線ベアラ（Ｓｉｇｎａｌｌｉｎｇ  Ｒａｄｉｏ  Ｂｅａｒｅｒｓ、ＳＲＢ）及びデータ無線ベアラ（Ｄａｔa  Ｒａｄｉｏ  Ｂｅａｒｅｒｓ、ＤＲＢ）を含んでもよい。ＭＣＧ  ＳＲＢ（又はＤＲＢ）はＭＣＧのみを介してデータを送受信し、ＳＣＧ  ＳＲＢ（又はＤＲＢ）はＳＣＧのみを介してデータを送受信し、Ｓｐｌｉｔ  ＳＲＢ（又はＤＲＢ）は同時にＭＣＧ及びＳＣＧを介してデータを送受信する。
【００２０】
ＤＣアーキテクチャを採用する場合、ＬＴＥのセルは、ＭＣＧセルとすることができ、ＮＲ（Ｎｅｗ  ＲＡＴ、新しいエアインターフェース、すなわち５Ｇ）のセルをＳＣＧセルとすることができる。このＤＣアーキテクチャで、端末が接続したコアネットワークは、ＬＴＥのコアネットワーク、例えば進化型パケットコア（Ｅｖｏｌｖｅｄ  Ｐａｃｋｅｔ  Ｃｏｒｅ、ＥＰＣ）である。このＤＣアーキテクチャで、ＭＣＧに対応するＰＤＣＰレイヤエンティティーは、ＮＲの配置（すなわち、ＮＲとして配置されたＰＤＣＰレイヤエンティティー）を採用することができ、ＭＣＧでの他の配置（ＲＬＣレイヤエンティティーやＭＡＣレイヤエンティティーなどの配置を含む）は、依然としてＬＴＥの配置を採用する。
【００２１】
以下は、実施例及び添付図面を結び付けながら、本開示のデータ伝送方法を説明する。
【００２２】
図１に示されるように、本開示の実施例は、通信機器送信側に用いられるデータ伝送方法を提供する。前記通信機器送信側は端末とネットワーク機器のいずれか一つであってもよく、前記方法はステップ１０１とステップ１０２を含む。
【００２３】
ステップ１０１：通信機器送信側のＲＲＣレイヤエンティティーのＲＲＣセグメンテーション機能又は新しいプロトコルレイヤエンティティーのＲＲＣセグメンテーション機能を利用して、複数のＲＲＣセグメントを生成する。
そのうち、送信側に対しては、このＲＲＣセグメントがＲＲＣ  ＰＤＵの形式で存在できる。上記複数のＲＲＣセグメントそれぞれは、通信機器送信側により生成されたＲＲＣメッセージにおけるデータコンテンツの一部を携帯している。このＲＲＣメッセージの全てのデータコンテンツは、複数のＲＲＣセグメントによって携帯され得る。上述した、複数のＲＲＣセグメントを生成することは、通信機器送信側のＲＲＣレイヤエンティティー又は新しいプロトコルレイヤエンティティーのＲＲＣセグメンテーション機能を利用して、生成されたＲＲＣメッセージをセグメンテーション処理し、複数のＲＲＣセグメントを得ると理解することができる。すなわち、ＲＲＣセグメンテーション機能を利用して、生成されたＲＲＣメッセージを複数のＲＲＣメッセージに分割して伝送することができる。
【００２４】
理解できるように、具体的に実現するとき、上りリンクデータ伝送プロセスに対応して、通信機器送信側は端末であり、通信機器受信側はネットワーク機器である。下りリンクデータ伝送プロセスに対応して、通信機器送信側はネットワーク機器であり、通信機器受信側は端末である。
【００２５】
例えば、通信機器送信側がＵＥ１であり、ＵＥ１により生成されたＲＲＣメッセージが１５０００  ｂｙｔｅ（ＰＤＣＰ  ＳＤＵの制限を超える）を占める場合、ＵＥ１は、ＲＲＣレイヤエンティティー（又は新しいプロトコルレイヤエンティティー）のＲＲＣセグメンテーション機能を利用して、このＲＲＣメッセージをＲＲＣ  ＰＤＵ１（例えば、７０００  ｂｙｔｅを占める）とＲＲＣ  ＰＤＵ２（例えば、８０００  ｂｙｔｅを占める）にセグメンテーション処理することができ、又はＲＲＣ  ＰＤＵ１（例えば、４０００  ｂｙｔｅを占める）、ＲＲＣ  ＰＤＵ２（例えば、４０００  ｂｙｔｅを占める）及びＲＲＣ  ＰＤＵ３（例えば、６０００  ｂｙｔｅを占める）にセグメンテーション処理することができる。それによりＰＤＣＰ  ＳＤＵにマッチングし、ＲＲＣメッセージの伝送を完了する。
【００２６】
説明すべきなのは、上記実施例は、２つ又は３つのセグメントにセグメンテーション処理することのみを例とし、具体的に実現するとき、４つのセグメントなどにセグメンテーション処理してもよい。本開示の実施例はこれを限定しない。どのようにＲＲＣメッセージをセグメンテーション処理するか、すなわち、どのようにＲＲＣセグメントが占めるｂｙｔｅを選択するかについては、送信側は必要に応じて選択してもよく、又は予め設定された規則に基づき選択してもよい。
【００２７】
ステップ１０２：複数のＲＲＣセグメントを通信機器受信側に送信する。
【００２８】
このように、通信機器受信側はこの複数のＲＲＣセグメントを受信すると、複数のＲＲＣセグメントを再編成して、完全なＲＲＣメッセージを得ることができる。
【００２９】
本開示の実施例のデータ伝送方法は、ＲＲＣセグメンテーション機能を利用することにより、それぞれが通信機器送信側により生成されたＲＲＣメッセージにおけるデータコンテンツの一部を携帯している複数のＲＲＣセグメントを生成し、この複数のＲＲＣセグメントを通信機器受信側に送信することにより、ＲＲＣメッセージのセグメンテーションを実現することができる。それにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【００３０】
本開示の具体的な実施例では、選択的に、上記ＲＲＣセグメントのパケットグループ情報には再編成指示情報が含まれてもよく、この再編成指示情報は、通信機器受信側が受信された複数のＲＲＣセグメントを再編成して、完全なＲＲＣメッセージを得るために用いられる。上記パケットグループ情報はパケットヘッダ又は他の形式のセルであってもよい。
【００３１】
さらに、この再編成指示情報は、セグメンテーション情報（ｓｅｇｍｅｎｔａｔｉｏｎ  ｉｎｆｏ、ＳＩ）、シーケンス番号（ｓｅｑｕｅｎｃｅ  ｎｕｍｂｅｒ、ＳＮ）、セグメンテーションオフセット値（ｓｅｇｍｅｎｔａｔｉｏｎ  ｏｆｆｓｅｔ、ＳＯ）、及び優先度指示情報、のうちの少なく１つを含んでもよい。
【００３２】
選択的に、このセグメンテーション情報は、ＲＲＣメッセージにおける相応なＲＲＣセグメントの位置、すなわち、ＲＲＣメッセージの全てのデータコンテンツにおける相応なＲＲＣセグメントにより携帯されたＲＲＣメッセージの一部のデータコンテンツの位置を指示するために用いられてもよい。このように、受信側は、このセグメンテーション情報に基づいて、相応なＲＲＣメッセージにおけるＲＲＣセグメントの位置を決定して、相応なＲＲＣメッセージの再編成を完了することができる。
【００３３】
例えば、具体的に実現するとき、このセグメンテーション情報はＸ  ｂｉｔを含んでもよく、Ｘの典型的な値が２であってもよい。このセグメンテーション情報は、相応なＲＲＣセグメントがＲＲＣメッセージにおける最初のセグメント（ｆｉｒｓｔ）、中間セグメント（ｍｉｄｄｌｅ）又は最後のセグメント（ｌａｓｔ）に位置することを指示するために用いられてもよい。他の形式のＸ  ｂｉｔフィールドの意味はこれと異なってもよい。また、セグメンテーション処理されていない場合に、このセグメンテーション情報は、相応なＲＲＣ  ＰＤＵに対応するＲＲＣメッセージがセグメンテーションされていないことを指示してもよい。
【００３４】
選択的に、このシーケンス番号は、相応なＲＲＣセグメントに対応するＲＲＣメッセージのシーケンス番号を指示するために用いられてもよい。このように、受信側はこのシーケンス番号に基づき、同じＲＲＣメッセージからのＲＲＣセグメントを決定して、ＲＲＣメッセージの再編成を完了することができる。
【００３５】
説明すべきなのは、ＲＲＣ多重化（ｄｕｐｌｉｃａｔｉｏｎ）機能が用いられる場合、この再編成指示情報は、受信側が同じＲＲＣメッセージからのＲＲＣセグメントを識別するように、シーケンス番号を含む必要がある。例えば、具体的に実現するとき、このシーケンス番号はＹ  ｂｉｔを含んでもよく、Ｙの典型的な値が１又は２であってもよい。
【００３６】
選択的に、このセグメンテーションオフセット値は、ＲＲＣメッセージにおける相応なＲＲＣセグメントのオフセット位置、すなわち、、ＲＲＣメッセージの全てのデータコンテンツにおける相応なＲＲＣセグメントにより携帯されたＲＲＣメッセージの一部のデータコンテンツのオフセット位置を指示するために用いられてもよい。説明すべきなのは、ＰＤＣＰがアウトオブオーダで送信される場合に、この再編成指示情報は、ＲＲＣメッセージにおける位置が類似するＲＲＣセグメントの位置を区別するように、セグメンテーションオフセット値を含む必要がある。例えば、具体的に実現するとき、このセグメンテーションオフセット値はＰ  ｂｉｔを含んでもよく、Ｐの典型的な値が２又は３であってもよい。このセグメンテーションオフセット値は、セグメント番号の形式であってもよく、本開示はオフセット量の具体的な形式を限定しない。セグメント番号の形式を採用すると、Ｚビットを採用することができる。
【００３７】
例えば、あるＵＥにより生成されたＲＲＣメッセージがＲＲＣ  ＰＤＵ１、ＲＲＣ  ＰＤＵ２、ＲＲＣ  ＰＤＵ３及びＲＲＣ  ＰＤＵ４にセグメンテーション処理される場合、それぞれのＳＩに基づき、ＲＲＣ  ＰＤＵ１がＲＲＣメッセージにおいてｆｉｒｓｔに位置し、ＲＲＣ  ＰＤＵ２がＲＲＣメッセージにおいてｍｉｄｄｌｅに位置し、ＲＲＣ  ＰＤＵ３がＲＲＣメッセージにおいてｍｉｄｄｌｅに位置し、及びＲＲＣ  ＰＤＵ４がＲＲＣメッセージにおいてｌａｓｔに位置することをすでに指示している。この時、受信側はＲＲＣ  ＰＤＵ２及びＲＲＣ  ＰＤＵ３を受信すると、ＲＲＣ  ＰＤＵ２とＲＲＣ  ＰＤＵ３の前後位置を区別することができず（両者がＲＲＣメッセージにおいてｍｉｄｄｌｅに位置することのみを知る）、ＳＯにより指示されたオフセット位置に基づいては、ＲＲＣ  ＰＤＵ２とＲＲＣ  ＰＤＵ３の前後位置、すなわち、ＲＲＣ  ＰＤＵ２がＲＲＣ  ＰＤＵ３の前に位置することを区別することができる。それにより、ＲＲＣメッセージの再編成を完了することができる。
【００３８】
選択的に、この優先度指示情報は、相応なＲＲＣセグメントに対応するＲＲＣメッセージの再編成優先度を指示するために用いられてもよい。それにより、優先度に応じてＲＲＣメッセージの再編成を完了する。例えば、再編成する必要があるＲＲＣメッセージが複数存在する場合、各ＲＲＣメッセージに対応するＲＲＣセグメントに含まれる優先度指示情報に基づき、優先度に応じて、この複数のＲＲＣメッセージを順に再編成することができる。
【００３９】
本開示の具体的な実施例では、上記ＲＲＣセグメントのパケットグループ情報には、後続の新しい機能の添加時に使用され得る予約ビット（Ｒ  ｂｉｔ）がさらに含まれてもよい。パケットグループ情報が整数個のバイト（ｂｙｔｅ  ａｌｉｇｎ）を占めることを確保するために、ｂｙｔｅが足りない位置に予約ビットを充填してもよい。
【００４０】
本開示の具体的な実施例では、選択的に、通信機器送信側が端末である場合に、上記新しいプロトコルレイヤエンティティーは、ＳＲＢに関連すること（ｐｅｒ−ＳＲＢ）、ＤＲＢに関連すること（ｐｅｒ−ＤＲＢ）、端末に関連すること（ｐｅｒ−ＵＥ）、及びセルグループに関連すること（ｐｅｒ−ｃｅｌｌ  ｇｒｏｕｐ）、のうちの１つであってもよい。
【００４１】
又は、通信機器送信側がネットワーク機器である場合に、上記新しいプロトコルレイヤエンティティーは、ＳＲＢに関連すること（ｐｅｒ−ＳＲＢ）、ＤＲＢに関連すること（ｐｅｒ−ＤＲＢ）、及びセルグループに関連すること（ｐｅｒ−ｃｅｌｌ  ｇｒｏｕｐ）、のうちの１つであってもよい。
【００４２】
そのうち、ｐｅｒ−ＳＲＢは、新しいプロトコルレイヤエンティティーの確立及びリリースなどのプロセスが相応なＳＲＢの確立及びリリースなどのプロセスにより影響されると理解することができる。例えば、ＳＲＢがリリースされる時にも、相応な新しいプロトコルレイヤエンティティーをリリースする必要があり、又は各ＳＲＢは１つの新しいプロトコルレイヤエンティティーに対応する。
【００４３】
ｐｅｒ−ＤＲＢは、新しいプロトコルレイヤエンティティーの確立及びリリースなどのプロセスが相応なＤＲＢの確立及びリリースなどのプロセスにより影響されると理解することができる。例えば、ＤＲＢがリリースされる時にも、相応な新しいプロトコルレイヤエンティティーをリリースする必要があり、又は各ＤＲＢは１つの新しいプロトコルレイヤエンティティーに対応する。
【００４４】
ｐｅｒ−ＵＥは、新しいプロトコルレイヤエンティティーが端末自体によって保持され、端末が１つ又は複数の新しいプロトコルレイヤエンティティーを有する可能性があり、且つＳＲＢ（又はＤＲＢ）の確立、リリースなどのプロセス、及びネットワーク側の配置により影響されないと理解することができる。
【００４５】
ｐｅｒ−ｃｅｌｌ  ｇｒｏｕｐは、新しいプロトコルレイヤエンティティーが端末のＤＣ配置により影響されると理解することができる。例えば、ＭＣＧは１つの新しいプロトコルレイヤエンティティーに対応してもよく、ＳＣＧは１つの新しいプロトコルレイヤエンティティーに対応してもよい。
【００４６】
本開示の具体的な実施例では、上記新しいプロトコルレイヤエンティティーの状況に基づき、新しいプロトコルレイヤエンティティーは異なる方式で確立、リリース及び／又はリセットすることができる。説明は以下のとおりである。
【００４７】
選択的に、通信機器送信側が端末であり、且つ新しいプロトコルレイヤエンティティーがセルグループに関連する場合に、前記方法は、
端末はセルグループ配置情報をネットワーク機器から受信すること（そのうち、このセルグループ配置情報には新しいプロトコルレイヤエンティティーの配置関連情報が含まれ、このセルグループ配置情報はネットワーク機器の専用シグナリング（例えば、ＲＲＣ再配置メッセージ）を介して携帯され得る）と、
新しいプロトコルレイヤエンティティーがまだ確立されていない場合に、端末はこの新しいプロトコルレイヤエンティティーの配置関連情報に基づいて、ＭＣＧ及び／又はＳＣＧに対応する新しいプロトコルレイヤエンティティーを確立することと、
新しいプロトコルレイヤエンティティーがすでに確立された場合に、端末はこの新しいプロトコルレイヤエンティティーの配置関連情報に基づいて、新しいプロトコルレイヤエンティティーに対してリセット、リリースを行い、又は再配置プロセスを発起することとをさらに含む。
【００４８】
又は、通信機器送信側がネットワーク機器であり、且つ新しいプロトコルレイヤエンティティーがセルグループに関連する場合に、前記方法は、
ネットワーク機器が、新しいプロトコルレイヤエンティティーの配置関連情報を含むセルグループ配置情報を取得することと、
新しいプロトコルレイヤエンティティーがまだ確立されていない場合に、ネットワーク機器がこの新しいプロトコルレイヤエンティティーの配置関連情報に基づいて、ＭＣＧ及び／又はＳＣＧに対応する新しいプロトコルレイヤエンティティーを確立することと、
新しいプロトコルレイヤエンティティーがすでに確立された場合に、ネットワーク機器がこの新しいプロトコルレイヤエンティティーの配置関連情報に基づいて、新しいプロトコルレイヤエンティティーに対してリセット、リリース又は再配置を行うこととをさらに含む。
【００４９】
そのうち、上記新しいプロトコルレイヤエンティティーのリセットは、この新しいプロトコルレイヤエンティティーに対応する再編成指示情報、例えばＳＩ、ＳＮ及び／又はＳＯを、ゼロ又は初期値にリセットすると理解することができる。
【００５０】
選択的に、通信機器送信側が端末であり、且つ新しいプロトコルレイヤエンティティーがＳＲＢに関連する場合に、前記方法は、
端末が、ネットワーク機器の専用シグナリング（例えば、ＲＲＣ再配置メッセージ）を介して携帯され得るＳＲＢの配置情報をネットワーク機器から受信することと、
このＳＲＢの配置情報に基づき、端末は、相応なＳＲＢに対応する新しいプロトコルレイヤエンティティーを確立及び／又はリリースすることとをさらに含んでもよく、
そのうち、選択的に、新しいプロトコルレイヤエンティティーをリリースする時に、全てのサスペンドされたこのプロトコルレイヤエンティティーのＰＤＵ及び／又はＳＤＵを廃棄する必要がある可能性がある。
【００５１】
又は、通信機器送信側がネットワーク機器であり、且つ新しいプロトコルレイヤエンティティーがＳＲＢに関連する場合に、前記方法は、
ネットワーク機器がＳＲＢの配置情報を取得することと、
このＳＲＢの配置情報に基づき、ネットワーク機器が相応なＳＲＢに対応する新しいプロトコルレイヤエンティティーを確立及び／又はリリースすることとをさらに含んでもよく、
そのうち、選択的に、新しいプロトコルレイヤエンティティーをリリースする時に、全てのサスペンドされたこのプロトコルレイヤエンティティーのＰＤＵ及び／又はＳＤＵを廃棄する必要がある可能性がある。
【００５２】
選択的に、通信機器送信側が端末であり、且つ新しいプロトコルレイヤエンティティーがＤＲＢに関連する場合に、前記方法は、
端末が、ネットワーク機器の専用シグナリング（例えば、ＲＲＣ再配置メッセージ）を介して携帯され得るＤＲＢの配置情報をネットワーク機器から受信することと、
このＤＲＢの配置情報に基づき、端末が相応なＤＲＢに対応する新しいプロトコルレイヤエンティティーを確立及び／又はリリースすることとをさらに含んでもよく、
そのうち、選択的に、新しいプロトコルレイヤエンティティーをリリースする時に、全てのサスペンドされたこのプロトコルレイヤエンティティーのＰＤＵ及び／又はＳＤＵを廃棄する必要がある可能性がある。
【００５３】
又は、通信機器送信側がネットワーク機器であり、且つ新しいプロトコルレイヤエンティティーがＤＲＢに関連する場合に、前記方法は、
ネットワーク機器がＤＲＢの配置情報を取得することと、
このＤＲＢの配置情報に基づき、ネットワーク機器が相応なＤＲＢに対応する新しいプロトコルレイヤエンティティーを確立及び／又はリリースすることとをさらに含んでもよく、
そのうち、選択的に、新しいプロトコルレイヤエンティティーをリリースする時に、全てのサスペンドされたこのプロトコルレイヤエンティティーのＰＤＵ及び／又はＳＤＵを廃棄する必要がある可能性がある。
【００５４】
理解できるように、端末とネットワーク機器の新しいプロトコルレイヤエンティティーとが、対応している。例えば、ネットワーク機器が自体の新しいプロトコルレイヤエンティティー（送信エンティティー）をリリースしようとすると、端末にシグナリングを送信して、端末の新しいプロトコルレイヤエンティティー（受信エンティティー）をリリースしてから、自体の新しいプロトコルレイヤエンティティーをリリースする必要がある。
【００５５】
本開示の具体的な実施例では、端末のＲＲＣセグメンテーション機能（ＲＲＣレイヤエンティティー又は新しいプロトコルレイヤエンティティーに対応できる）については、ネットワーク機器のアクティブ化シグナリングによってアクティブ化されてもよく、ネットワーク機器の非アクティブ化シグナリングによって非アクティブ化されてもよい。
【００５６】
選択的に、上記通信機器送信側が端末である場合に、前記方法は、
端末がネットワーク機器からＲＲＣセグメンテーション機能のアクティブ化シグナリングを受信すること（そのうち、前記ＲＲＣセグメンテーション機能はＲＲＣレイヤエンティティーのものであってもよく、新しいプロトコルレイヤエンティティーのものであってもよい）と、
端末がこのアクティブ化シグナリングに基づき、ＲＲＣセグメンテーション機能に対してアクティブ化処理を行うこととをさらに含んでもよく、
又は、
端末がネットワーク機器からＲＲＣセグメンテーション機能の非アクティブ化シグナリングを受信すること（そのうち、前記ＲＲＣセグメンテーション機能はＲＲＣレイヤエンティティーのものであってもよく、新しいプロトコルレイヤエンティティーのものであってもよい）と、
端末がこの非アクティブ化シグナリングに基づき、ＲＲＣセグメンテーション機能に対して非アクティブ化処理を行うこととをさらに含んでもよい。
【００５７】
さらに、上記アクティブ化シグナリングは、ＭＡＣ制御ユニット（Ｃｏｎｔｒｏｌ  Ｅｌｅｍｅｎｔ、ＣＥ）、下りリンク制御情報（Ｄｏｗｎｌｉｎｋ  Ｃｏｎｔｒｏｌ  Ｉｎｆｏｒｍａｔｉｏｎ、ＤＣＩ）及びＲＲＣメッセージのうちの少なくとも１つを採用することができる。
【００５８】
上記非アクティブ化シグナリングは、ＭＡＣ  ＣＥ、ＤＣＩ及びＲＲＣメッセージのうちの少なくとも１つを採用することができる。
【００５９】
さらに、上記ＲＲＣセグメンテーション機能のアクティブ化条件（すなわち、この条件を満たす場合、ネットワーク機器は端末にアクティブ化シグナリングを送信することができる）は、
ネットワーク機器が、端末から報告された能力情報の一部を受信したこと、
ネットワーク機器が、端末から送信された、前記端末の能力情報がＰＤＣＰ  ＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つであってもよい。
【００６０】
そのうち、選択的に、上記能力関連情報は、
端末の能力情報がＰＤＣＰ  ＳＤＵのサイズの最大値を超えることを指示する情報、
端末の能力情報のサイズ（例えば、１００００  Ｂｙｔｅであってもよい）、
端末がＲＲＣセグメンテーション機能をサポートすることを指示する情報、のうちの少なく１つを含んでもよい。
【００６１】
さらに、上記ＲＲＣセグメンテーション機能の非アクティブ化条件（すなわち、この条件を満たす場合、ネットワーク機器は端末に非アクティブ化シグナリングを送信することができる）は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つであってもよい。
【００６２】
理解できるように、上記予め設定される時間の時間長は１つの絶対値であってもよく、１つのタイマーｔｉｍｅｒをメンテナンスすることによって実現されてもよい。この時間長又はｔｉｍｅｒの決定条件は、プロトコルによって事前に約束されること、ネットワーク機器（例えば、基地局）によって配置され又は事前に配置されること、ネットワーク機器（例えば、基地局）と端末とのネゴシエーションにより得られること、のうちの１つ又は複数の任意の組み合わせであってもよい。上記非アクティブ化条件に関する予め設定される時間は異なる非アクティブ化条件において同じであってもよく、同じでなくてもよい。具体的なケースに応じて決定され、本開示の実施例はこれを限定しない。
【００６３】
上記第１の予め設定されるしきい値は、
４Ｇシステムにおいて、ＰＤＣＰレイヤのＰＤＣＰ  ＳＤＵのデータパケットのサイズの最大値である８１８８バイトと、
５Ｇシステムにおいて、ＰＤＣＰレイヤのＰＤＣＰ  ＳＤＵのデータパケットのサイズの最大値である９０００バイトと、
プロトコルによって約束され又はネットワーク機器によって配置されたバイトのサイズ、のうちの１つであってもよい。
【００６４】
本開示の具体的な実施例では、選択的に、ＲＲＣセグメンテーション機能が新しいプロトコルレイヤエンティティーによって完了される場合に、ネットワーク機器によるＲＲＣセグメンテーション機能のアクティブ化又は非アクティブ化は、相応なプロトコルレイヤエンティティーを確立、再配置又はリリースすることによって行われてもよい。
【００６５】
選択的に、ＲＲＣセグメンテーション機能を担持するＲＲＣレイヤエンティティー又は新しいプロトコルレイヤエンティティーがＳＲＢに関する（すなわち、ｐｅｒ−ＳＲＢで配置される）場合に、上記アクティブ化シグナリングには相応なＳＲＢのアクティブ化指示情報が含まれてもよく、上記非アクティブ化シグナリングには相応なＳＲＢの非アクティブ化指示情報が含まれてもよい。
【００６６】
又は、ＲＲＣセグメンテーション機能を担持するＲＲＣレイヤエンティティー又は新しいプロトコルレイヤエンティティーがＤＲＢに関する（すなわち、ｐｅｒ−ＤＲＢで配置される）場合に、上記アクティブ化シグナリングには相応なＤＲＢのアクティブ化指示情報が含まれてもよく、上記非アクティブ化シグナリングには相応なＤＲＢの非アクティブ化指示情報が含まれてよい。
【００６７】
又は、ＲＲＣセグメンテーション機能を担持するＲＲＣレイヤエンティティー又は新しいプロトコルレイヤエンティティーがセルグループに関連する（すなわち、ｐｅｒ−ｃｅｌｌ  ｇｒｏｕｐで配置される）場合に、上記アクティブ化シグナリングには相応なＭＣＧ及び／又はＳＣＧのアクティブ化指示情報が含まれてもよく、上記非アクティブ化シグナリングには相応なＭＣＧ及び／又はＳＣＧの非アクティブ化指示情報が含まれてもよい。
【００６８】
又は、上記ＲＲＣセグメンテーション機能が予め設定されるＲＲＣメッセージに対して有効になっている場合、上記アクティブ化シグナリングには、前記アクティブ化シグナリングが対応するＲＲＣメッセージ（すなわち、どのＲＲＣメッセージ又はどの種類のＲＲＣメッセージに対応するか）を指示するための指示情報が含まれてもよく、上記非アクティブ化シグナリングには、前記非アクティブ化シグナリングが対応するＲＲＣメッセージ（すなわち、どのＲＲＣメッセージ又はどの種類のＲＲＣメッセージに対応するか）を指示するための指示情報が含まれてもよい。
【００６９】
本開示の具体的な実施例では、ＲＲＣレイヤエンティティー又は新しいプロトコルレイヤエンティティーのＲＲＣセグメンテーション機能は、予め設定されるＲＲＣメッセージ（すなわち、特定のＲＲＣ  ｍｅｓｓａｇｅ）のみに対して有効にすることができる。
【００７０】
選択的に、通信機器送信側が端末である場合に、対応するＲＲＣセグメンテーション機能は、
携帯されたデータ部分のサイズが第２の予め設定されるしきい値よりも大きいＲＲＣメッセージ、および
端末能力を報告するためのＲＲＣメッセージ、のうちの少なくとも１つに対応してもよい。
【００７１】
そのうち、上記第２の予め設定されるしきい値は、
４Ｇシステムにおいて、ＰＤＣＰレイヤのＰＤＣＰ  ＳＤＵのデータパケットのサイズの最大値である８１８８バイト、
５Ｇシステムにおいて、ＰＤＣＰレイヤのＰＤＣＰ  ＳＤＵのデータパケットのサイズの最大値である９０００バイト、
プロトコルによって約束され又はネットワーク機器によって配置されたバイトのサイズ、のうちの１つであってもよい。
【００７２】
又は、通信機器送信側がネットワーク機器である場合に、対応するＲＲＣセグメンテーション機能は、
携帯されたデータ部分のサイズが第３の予め設定されるしきい値よりも大きいＲＲＣメッセージ、
ＲＲＣ再配置メッセージ、
ＣＳＩ−ＲＳに関連する測定配置情報が携帯されているＲＲＣメッセージ、および
ＲＡＣＨ配置情報が携帯されているＲＲＣメッセージ、のうちの少なくとも１つに対応してもよい。
【００７３】
そのうち、上記第３の予め設定されるしきい値は、
４Ｇシステムにおいて、ＰＤＣＰレイヤのＰＤＣＰ  ＳＤＵのデータパケットのサイズの最大値である８１８８バイト、
５Ｇシステムにおいて、ＰＤＣＰレイヤのＰＤＣＰ  ＳＤＵのデータパケットのサイズの最大値である９０００バイト、
プロトコルによって約束され又はネットワーク機器によって配置されたバイトのサイズ、のうちの１つであってもよい。
【００７４】
理解できるように、具体的に実現するとき、上記第１の予め設定されるしきい値、第２の予め設定されるしきい値及び第３の予め設定されるしきい値の間は同じであってもよく、同じでなくてもよい。具体的なケースに応じて決定される。
【００７５】
図２に示されるように、本開示の実施例は、通信機器受信側に用いられるデータ伝送方法を提供する。前記通信機器受信側は端末とネットワーク機器のいずれか一つであってもよく、前記方法はステップ２０１とステップ２０２を含む。
【００７６】
ステップ２０１：通信機器送信側から複数のＲＲＣセグメントを受信する。
そのうち、このＲＲＣセグメントは、受信側に対してＰＤＣＰ  ＳＤＵとして受信されてもよい。上記複数のＲＲＣセグメントそれぞれは通信機器送信側により生成されたＲＲＣメッセージにおけるデータコンテンツの一部を携帯している。前記ＲＲＣメッセージの全てのデータコンテンツは前記複数のＲＲＣセグメントエンティティーによって携帯され得る。
【００７７】
ステップ２０２：通信機器受信側のＲＲＣレイヤエンティティーのＲＲＣ再編成機能又は新しいプロトコルレイヤエンティティーのＲＲＣ再編成機能を利用して、複数のＲＲＣセグメントを再編成し、完全なＲＲＣメッセージを得る。
【００７８】
本開示の実施例のデータ伝送方法は、ＲＲＣメッセージのセグメンテーションを実現することができる。それにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【００７９】
本開示の具体的な実施例では、選択的に、前記通信機器受信側が端末である場合に、前記新しいプロトコルレイヤエンティティーは、
ＳＲＢに関連すること、ＤＲＢに関連すること、端末に関連すること、およびセルグループに関連すること、のうちの１つであり、
又は、前記通信機器受信側がネットワーク機器である場合に、前記新しいプロトコルレイヤエンティティーは、
ＳＲＢに関連すること、ＤＲＢに関連すること、およびセルグループに関連すること、のうちの一つである。
【００８０】
選択的に、前記通信機器受信側が端末であり、且つ前記新しいプロトコルレイヤエンティティーがセルグループに関連する場合に、前記方法は、
新しいプロトコルレイヤエンティティーの配置関連情報を含むセルグループ配置情報をネットワーク機器から受信することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起することとをさらに含み、
又は、前記通信機器受信側がネットワーク機器であり、且つ前記新しいプロトコルレイヤエンティティーがセルグループに関連する場合に、前記方法は、
新しいプロトコルレイヤエンティティーの配置関連情報を含むセルグループ配置情報を取得することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うこととをさらに含む。
【００８１】
選択的に、前記通信機器受信側が端末であり、且つ前記新しいプロトコルレイヤエンティティーがＳＲＢ又はＤＲＢに関連する場合に、前記方法は、
ネットワーク機器からＳＲＢの配置情報又はＤＲＢの配置情報を受信することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含み、
又は、前記通信機器受信側がネットワーク機器であり、且つ前記新しいプロトコルレイヤエンティティーがＳＲＢ又はＤＲＢに関連する場合に、前記方法は、
ＳＲＢの配置情報又はＤＲＢの配置情報を取得することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含む。
【００８２】
選択的に、前記通信機器受信側が端末である場合に、前記方法は、
ネットワーク機器から前記ＲＲＣ再編成機能のアクティブ化シグナリング又は非アクティブ化シグナリングを受信することと、
前記アクティブ化シグナリングに基づき、前記ＲＲＣ再編成機能に対してアクティブ化処理を行い、又は、前記非アクティブ化シグナリングに基づき、前記ＲＲＣ再編成機能に対して非アクティブ化処理を行うこととをさらに含む。
【００８３】
理解できるように、送信側のＲＲＣセグメンテーション機能と受信側のＲＲＣ再編成機能とが対応している。例えば、ネットワーク機器は、アクティブ化シグナリングを介して端末のＲＲＣセグメンテーション機能をアクティブ化すると同時に、それに応じて自体のＲＲＣ再編成機能をアクティブ化することができる。又は、ネットワーク機器は、非アクティブ化シグナリングを介して端末のＲＲＣセグメンテーション機能を非アクティブ化すると同時に、それに応じて自体のＲＲＣ再編成機能を非アクティブ化することができる。又は、ネットワーク機器は、アクティブ化シグナリングを介して端末のＲＲＣ再編成機能をアクティブ化すると同時に、それに応じて自体のＲＲＣセグメンテーション機能をアクティブ化することができる。又は、ネットワーク機器は、非アクティブ化シグナリングを介して端末のＲＲＣ再編成機能を非アクティブ化すると同時に、それに応じて自体のＲＲＣセグメンテーション機能を非アクティブ化することができる。また、具体的に実現するとき、端末のＲＲＣ再編成機能はネットワーク機器によってアクティブ化されることなく、自体で実現される場合もある。
【００８４】
選択的に、前記ＲＲＣ再編成機能を担持するＲＲＣレイヤエンティティー又は新しいプロトコルレイヤエンティティーがＳＲＢに関連する場合に、前記アクティブ化シグナリングには、相応なＳＲＢのアクティブ化指示情報が含まれ、前記非アクティブ化シグナリングには、相応なＳＲＢの非アクティブ化指示情報が含まれる。
【００８５】
又は、前記ＲＲＣ再編成機能を担持するＲＲＣレイヤエンティティー又は新しいプロトコルレイヤエンティティーがＤＲＢに関連する場合に、前記アクティブ化シグナリングには、相応なＤＲＢのアクティブ化指示情報が含まれ、前記非アクティブ化シグナリングには、相応なＤＲＢの非アクティブ化指示情報が含まれる。
【００８６】
又は、前記ＲＲＣ再編成機能を担持するＲＲＣレイヤエンティティー又は新しいプロトコルレイヤエンティティーがセルグループに関連する場合に、前記アクティブ化シグナリングには、相応なＭＣＧ及び／又はＳＣＧのアクティブ化指示情報が含まれてもよく、前記非アクティブ化シグナリングには、相応なＭＣＧ及び／又はＳＣＧの非アクティブ化指示情報が含まれてもよい。
【００８７】
選択的に、前記通信機器受信側がネットワーク機器である場合に、前記方法は、
端末にアクティブ化シグナリング又は非アクティブ化シグナリングを送信することをさらに含み、
そのうち、前記アクティブ化シグナリングは、前記端末のＲＲＣレイヤエンティティーのＲＲＣセグメンテーション機能又は新しいプロトコルレイヤエンティティーのＲＲＣセグメンテーション機能をアクティブ化することを指示するために用いられ、
前記非アクティブ化シグナリングは、前記端末のＲＲＣレイヤエンティティーのＲＲＣセグメンテーション機能又は新しいプロトコルレイヤエンティティーのＲＲＣセグメンテーション機能を非アクティブ化することを指示するために用いられる。
【００８８】
選択的に、上記ＲＲＣセグメンテーション機能（ＲＲＣレイヤエンティティーのものであってもよく、新しいプロトコルレイヤエンティティーのものであってもよい）のアクティブ化条件は、
ネットワーク機器が、端末から報告された能力情報の一部を受信したこと、
ネットワーク機器が、端末から送信された、前記端末の能力情報がパケットデータコンバージェンスプロトコルＰＤＣＰサービスデータユニットＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つである。
【００８９】
選択的に、上記ＲＲＣセグメンテーション機能（ＲＲＣレイヤエンティティーのものであってもよく、新しいプロトコルレイヤエンティティーのものであってもよい）の非アクティブ化条件は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つである。
【００９０】
上記実施例では、本開示のデータ伝送方法が説明されていたが、以下は、実施例及び添付図面を結び付けながら、本開示の通信機器を説明する。
【００９１】
図３に示されるように、本開示の実施例は、通信機器３０をさらに提供する。前記通信機器３０は送信側であり、端末とネットワーク機器のいずれか一つであってもよく、前記通信機器３０は、
前記通信機器３０のＲＲＣレイヤエンティティーのＲＲＣセグメンテーション機能又は新しいプロトコルレイヤエンティティーのＲＲＣセグメンテーション機能を利用して、それぞれが前記通信機器３０により生成されたＲＲＣメッセージにおけるデータコンテンツの一部を携帯している複数のＲＲＣセグメントを生成するための生成モジュール３１と、
前記複数のＲＲＣセグメントを通信機器受信側に送信するための第１の送信モジュール３２とを備えてもよい。
【００９２】
本開示の実施例では、ＲＲＣメッセージのセグメンテーションを実現することができる。それにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【００９３】
本開示の実施例では、選択的に、前記通信機器３０が端末である場合に、前記新しいプロトコルレイヤエンティティーは、
ＳＲＢに関連すること、ＤＲＢに関連すること、端末に関連すること、およびセルグループに関連すること、のうちの１つであり、
又は、前記通信機器３０がネットワーク機器である場合に、前記新しいプロトコルレイヤエンティティーは、
ＳＲＢに関連すること、ＤＲＢに関連すること、およびセルグループに関連すること、のうちの一つである。
【００９４】
選択的に、前記通信機器３０が端末であり、且つ前記新しいプロトコルレイヤエンティティーがセルグループに関連する場合に、前記通信機器３０は、
新しいプロトコルレイヤエンティティーの配置関連情報を含むセルグループ配置情報をネットワーク機器から受信するための第１の受信モジュールと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立し、前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起するための第１の処理モジュールとをさらに備え、
又は、
前記通信機器３０がネットワーク機器であり、且つ前記新しいプロトコルレイヤエンティティーがセルグループに関連する場合に、前記通信機器３０は、
新しいプロトコルレイヤエンティティーの配置関連情報を含むセルグループ配置情報を取得するための第１の取得モジュールと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立し、前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うための第２の処理モジュールとをさらに備える。
【００９５】
選択的に、前記通信機器３０が端末であり、且つ前記新しいプロトコルレイヤエンティティーがＳＲＢ又はＤＲＢに関連する場合に、前記通信機器３０は、
ネットワーク機器からＳＲＢの配置情報又はＤＲＢの配置情報を受信するための第２の受信モジュールと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースするための第３の処理モジュールとをさらに備え、
又は、前記通信機器３０がネットワーク機器であり、且つ前記新しいプロトコルレイヤエンティティーがＳＲＢ又はＤＲＢに関連する場合に、前記通信機器３０は、
ＳＲＢの配置情報又はＤＲＢの配置情報を取得するための第２の取得モジュールと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースするための第４の処理モジュールとをさらに備える。
【００９６】
選択的に、前記通信機器３０が端末である場合に、前記通信機器３０は、
ネットワーク機器から前記ＲＲＣセグメンテーション機能のアクティブ化シグナリング又は非アクティブ化シグナリングを受信するための第３の受信モジュールと、
前記アクティブ化シグナリングに基づき、前記ＲＲＣセグメンテーション機能に対してアクティブ化処理を行い、又は、前記非アクティブ化シグナリングに基づき、前記ＲＲＣセグメンテーション機能に対して非アクティブ化処理を行うための第５の処理モジュールとをさらに備える。
【００９７】
選択的に、前記ＲＲＣセグメンテーション機能のアクティブ化条件は、
ネットワーク機器が、端末から報告された能力情報の一部を受信したこと、
ネットワーク機器が、端末から送信された、前記端末の能力情報がパケットデータコンバージェンスプロトコルＰＤＣＰサービスデータユニットＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つである。
【００９８】
選択的に、前記ＲＲＣセグメンテーション機能の非アクティブ化条件は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つである。
【００９９】
選択的に、前記アクティブ化シグナリングは、
ＭＡＣ  ＣＥ、ＤＣＩ及びＲＲＣメッセージ、のうちの少なくとも１つを採用し、
前記非アクティブ化シグナリングは、
ＭＡＣ  ＣＥ、ＤＣＩ及びＲＲＣメッセージ、のうちの少なくとも１つを採用する。
【０１００】
選択的に、前記ＲＲＣセグメンテーション機能を担持するＲＲＣレイヤエンティティー又は新しいプロトコルレイヤエンティティーがＳＲＢに関連する場合に、前記アクティブ化シグナリングには、相応なＳＲＢのアクティブ化指示情報が含まれ、前記非アクティブ化シグナリングには、相応なＳＲＢの非アクティブ化指示情報が含まれ、
又は、前記ＲＲＣセグメンテーション機能を担持するＲＲＣレイヤエンティティー又は新しいプロトコルレイヤエンティティーがＤＲＢに関連する場合に、前記アクティブ化シグナリングには、相応なＤＲＢのアクティブ化指示情報が含まれ、前記非アクティブ化シグナリングには、相応なＤＲＢの非アクティブ化指示情報が含まれ、
又は、前記ＲＲＣセグメンテーション機能を担持するＲＲＣレイヤエンティティー又は新しいプロトコルレイヤエンティティーがセルグループに関連する場合に、前記アクティブ化シグナリングには、相応なＭＣＧ及び／又はＳＣＧのアクティブ化指示情報が含まれ、前記非アクティブ化シグナリングには、相応なＭＣＧ及び／又はＳＣＧの非アクティブ化指示情報が含まれ、
又は、前記ＲＲＣセグメンテーション機能が予め設定されるＲＲＣメッセージに対して有効になっている場合に、前記アクティブ化シグナリングには、前記アクティブ化シグナリングが対応するＲＲＣメッセージを指示するための指示情報が含まれ、前記非アクティブ化シグナリングには、前記非アクティブ化シグナリングが対応するＲＲＣメッセージを指示するための指示情報が含まれる。
【０１０１】
選択的に、前記通信機器３０が端末である場合に、前記ＲＲＣセグメンテーション機能は、
携帯されたデータ部分のサイズが第２の予め設定されるしきい値よりも大きいＲＲＣメッセージ、
端末能力を報告するためのＲＲＣメッセージ、のうちの少なくとも１つに対応し、
又は、前記通信機器３０がネットワーク機器である場合に、前記ＲＲＣセグメンテーション機能は、
携帯されたデータ部分のサイズが第３の予め設定されるしきい値よりも大きいＲＲＣメッセージ、
ＲＲＣ再配置メッセージ、
ＣＳＩ−ＲＳに関連する測定配置情報が携帯されているＲＲＣメッセージ、
ＲＡＣＨ配置情報が携帯されているＲＲＣメッセージ、のうちの少なくとも１つに対応する。
【０１０２】
図４に示されるように、本開示の実施例は、通信機器４０をさらに提供する。前記通信機器４０は受信側であり、且つ端末とネットワーク機器のいずれか一つであってもよく、前記通信機器４０は、
通信機器送信側から、それぞれが前記通信機器送信側により生成されたＲＲＣメッセージにおけるデータコンテンツの一部を携帯している複数のＲＲＣセグメントを受信するための第４の受信モジュール４１と、
前記通信機器４０のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得るための再編成モジュール４２とを備えてもよい。
【０１０３】
本開示の実施例では、ＲＲＣメッセージのセグメンテーションを実現することができる。それにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【０１０４】
本開示の実施例では、選択的に、前記通信機器４０が端末である場合に、前記新しいプロトコルレイヤエンティティーは、
ＳＲＢに関連すること、ＤＲＢに関連すること、端末に関連すること、およびセルグループに関連すること、のうちの１つであり、
又は、前記通信機器４０がネットワーク機器である場合に、前記新しいプロトコルレイヤエンティティーは、
ＳＲＢに関連すること、ＤＲＢに関連すること、およびセルグループに関連すること、のうちの一つである。
【０１０５】
選択的に、前記通信機器４０が端末であり、且つ前記新しいプロトコルレイヤエンティティーがセルグループに関連する場合に、前記通信機器４０は、
新しいプロトコルレイヤエンティティーの配置関連情報を含むセルグループ配置情報をネットワーク機器から受信するための第５の受信モジュールと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立し、前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起するための第６の処理モジュールとをさらに備え、
又は、
前記通信機器４０がネットワーク機器であり、且つ前記新しいプロトコルレイヤエンティティーがセルグループに関連する場合に、前記通信機器４０は、
新しいプロトコルレイヤエンティティーの配置関連情報を含むセルグループ配置情報を取得するための第３の取得モジュールと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立し、前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うための第７の処理モジュールとをさらに備える。
【０１０６】
選択的に、前記通信機器４０が端末であり、且つ前記新しいプロトコルレイヤエンティティーがＳＲＢ又はＤＲＢに関連する場合に、前記通信機器４０は、
ネットワーク機器からＳＲＢの配置情報又はＤＲＢの配置情報を受信するための第６の受信モジュールと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースするための第８の処理モジュールとをさらに備え、
又は、
前記通信機器４０がネットワーク機器であり、且つ前記新しいプロトコルレイヤエンティティーがＳＲＢ又はＤＲＢに関連する場合に、前記通信機器４０は、
ＳＲＢの配置情報又はＤＲＢの配置情報を取得するための第４の取得モジュールと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースするための第９の処理モジュールとをさらに備える。
【０１０７】
選択的に、前記通信機器４０が端末である場合に、前記通信機器４０は、
ネットワーク機器から前記ＲＲＣ再編成機能のアクティブ化シグナリング又は非アクティブ化シグナリングを受信するための第７の受信モジュールと、
前記アクティブ化シグナリングに基づき、前記ＲＲＣ再編成機能に対してアクティブ化処理を行い、又は、前記非アクティブ化シグナリングに基づき、前記ＲＲＣ再編成機能に対して非アクティブ化処理を行うための第１０の処理モジュールとをさらに備える。
【０１０８】
選択的に、前記ＲＲＣ再編成機能を担持するＲＲＣレイヤエンティティー又は新しいプロトコルレイヤエンティティーがＳＲＢに関連する場合に、前記アクティブ化シグナリングには、相応なＳＲＢのアクティブ化指示情報が含まれ、前記非アクティブ化シグナリングには、相応なＳＲＢの非アクティブ化指示情報が含まれ、
又は、前記ＲＲＣ再編成機能を担持するＲＲＣレイヤエンティティー又は新しいプロトコルレイヤエンティティーがＤＲＢに関連する場合に、前記アクティブ化シグナリングには、相応なＤＲＢのアクティブ化指示情報が含まれ、前記非アクティブ化シグナリングには、相応なＤＲＢの非アクティブ化指示情報が含まれ、
又は、前記ＲＲＣ再編成機能を担持するＲＲＣレイヤエンティティー又は新しいプロトコルレイヤエンティティーがセルグループに関連する場合に、前記アクティブ化シグナリングには、相応なＭＣＧ及び／又はＳＣＧのアクティブ化指示情報が含まれ、前記非アクティブ化シグナリングには、相応なＭＣＧ及び／又はＳＣＧの非アクティブ化指示情報が含まれる。
【０１０９】
選択的に、前記通信機器４０がネットワーク機器である場合に、前記通信機器４０は、
端末にアクティブ化シグナリング又は非アクティブ化シグナリングを送信するための第２の送信モジュールをさらに備えてもよく、
そのうち、前記アクティブ化シグナリングは、前記端末のＲＲＣレイヤエンティティーのＲＲＣセグメンテーション機能又は新しいプロトコルレイヤエンティティーのＲＲＣセグメンテーション機能をアクティブ化することを指示するために用いられ、
前記非アクティブ化シグナリングは、前記端末のＲＲＣレイヤエンティティーのＲＲＣセグメンテーション機能又は新しいプロトコルレイヤエンティティーのＲＲＣセグメンテーション機能を非アクティブ化することを指示するために用いられる。
【０１１０】
さらに、選択的に、前記ＲＲＣセグメンテーション機能のアクティブ化条件は、
ネットワーク機器が、端末から報告された能力情報の一部を受信したこと、
ネットワーク機器が、端末から送信された、前記端末の能力情報がＰＤＣＰ  ＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つである。
【０１１１】
さらに、選択的に、前記ＲＲＣセグメンテーション機能の非アクティブ化条件は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つである。
【０１１２】
なお、本開示の実施例は、通信機器をさらに提供する。プロセッサと、メモリと、前記メモリに記憶されており、前記プロセッサに運行できるコンピュータプログラムを含み、そのうち、前記コンピュータプログラムが前記プロセッサによって実行されるとき、上記データ伝送方法についての実施例における各プロセスを実現することができ、且つ、同様な技術的効果を実現することができる。説明の重複を回避するために、ここでは説明を省略する。選択的に、前記通信機器は送信側又は受信側であってもよく、また、端末又はネットワーク機器であってもよい。
【０１１３】
具体的には、図５は、本開示の各実施例における端末を実現するハードウェア構造模式図である。端末５００は、無線周波数ユニット５０１と、ネットワークモジュール５０２と、オーディオ出力ユニット５０３と、入力ユニット５０４と、センサ５０５と、表示ユニット５０６と、ユーザ入力ユニット５０７と、インターフェースユニット５０８と、メモリ５０９と、プロセッサ５１０と、電源５１１などの部材を含むが、それらに限らない。当業者であれば理解できるように、図５に示した端末構造は、端末に対する限定を構成しなく、端末には、図示よりも多く又は少ない部材、又は、いくつかの部材の組み合わせ、又は、異なる部材の配置が含まれてもよい。本開示の実施例では、端末は、携帯電話、タブレットパソコン、ノートパソコン、ＰＤＡ、車載端末、ウェアラブル機器、および、歩数計を含むが、それらに限らない。
【０１１４】
選択的に、端末５００が送信側である場合に、プロセッサ５１０は、前記端末５００のＲＲＣレイヤエンティティーのＲＲＣセグメンテーション機能又は新しいプロトコルレイヤエンティティーのＲＲＣセグメンテーション機能を利用して、それぞれが前記端末５００により生成されたＲＲＣメッセージにおけるデータコンテンツの一部を携帯している複数のＲＲＣセグメントを生成するために用いられる。
無線周波数ユニット５０１は、前記複数のＲＲＣセグメントをネットワーク機器に送信するために用いられる。
【０１１５】
選択的に、端末５００が受信側である場合に、無線周波数ユニット５０１は、ネットワーク機器から、それぞれが前記ネットワーク機器により生成されたＲＲＣメッセージにおけるデータコンテンツの一部を携帯している複数のＲＲＣセグメントを受信し、前記端末５００のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得るために用いられる。
【０１１６】
本開示の実施例では、ＲＲＣメッセージのセグメンテーションを実現することができる。それにより、ＲＲＣメッセージが大きすぎる場合に、ＰＤＣＰ  ＳＤＵにマッチングし、ＲＲＣバッファの需要を減らし、ＲＲＣメッセージの伝送を完了し、相応な通信プロセスのスムーズな進行を確保することができる。
【０１１７】
理解すべきなのは、本開示の実施例では、無線周波数ユニット５０１は、情報の送受信又は通話中の信号の送受信に用いられてもよい。具体的には、基地局からの下りリンクデータを受信してから、プロセッサ５１０に送信して処理させ、また、上りリンクデータを基地局に送信してもよい。一般的には、無線周波数ユニット５０１は、アンテナ、少なくとも１つの増幅器、送受信機、カプラー、低騒音増幅器、デュプレクサなどを含むが、それらに限らない。また、無線周波数ユニット５０１は、さらに、無線通信システムを介してネットワークや他の装置との通信を行ってもよい。
【０１１８】
端末は、ネットワークモジュール５０２によって、無線ブロードバンドインターネットアクセスをユーザに提供し、例えば、ユーザのために、電子メールの送受信や、ウェブページの閲覧やストリーミングメディアへのアクセスなどを実現させる。
【０１１９】
オーディオ出力ユニット５０３は、無線周波数ユニット５０１又はネットワークモジュール５０２により受信された、又は、メモリ５０９に記憶されたオーディオデータをオーディオ信号に変換して音声として出力することができる。また、オーディオ出力ユニット５０３は、さらに、端末５００によって実行される特定の機能に関するオーディオ出力（例えば、呼び信号受信音、メッセージ着信音など）を提供することもできる。オーディオ出力ユニット５０３は、スピーカ、ブザー、及び、受話器などを含む。
【０１２０】
入力ユニット５０４は、オーディオ又はビデオ信号を受信するために用いられる。入力ユニット５０４は、グラフィックスプロセッサ（Ｇｒａｐｈｉｃｓ  Ｐｒｏｃｅｓｓｉｎｇ  Ｕｎｉｔ、ＧＰＵ）５０４１とマイクロホン５０４２を含んでもよく、グラフィックスプロセッサ５０４１は、ビデオキャプチャモード又は画像キャプチャモードにおいて、画像キャプチャ装置（例えば、カメラ）によって得られた静止画像又はビデオの画像データを処理する。処理後の画像フレームは、表示ユニット５０６に表示されてもよい。グラフィックスプロセッサ５０４１によって処理された画像フレームは、メモリ５０９（又は他の記憶媒体）に記憶されてもよく、又は、無線周波数ユニット５０１又はネットワークモジュール５０２によって送信されてもよい。マイクロホン５０４２は、音声を受信するとともに、そのような音声をオーディオデータとして処理することができる。処理後のオーディオデータは、電話の通話モードにおいて、無線周波数ユニット５０１によって移動通信基地局へ送信されることが可能なフォーマットに変換して出力されてもよい。
【０１２１】
端末５００は、さらに、少なくとも１つのセンサ５０５、例えば、光センサ、運動センサ、又は、他のセンサを含んでもよい。具体的には、光センサは、環境光センサと接近センサを含む。そのうち、環境光センサは環境光の明るさに応じて表示パネル５０６１の輝度を調整することができ、接近センサは端末５００が耳元に移動したとき、表示パネル５０６１及び／又はバックライトをオフにすることができる。運動センサの１種として、加速度計センサは、各方向（通常、３軸）での加速度の大きさを検出することができ、静止の場合、重力の大きさ及び方向を検出することができ、端末の姿勢（例えば、縦横スクリーン切り替え、関連ゲーム、磁力計姿勢校正）への識別、振動識別関連機能（例えば、歩数計、タップ）などに用いられてもよい。センサ５０５は、さらに、指紋センサ、圧力センサ、虹彩センサ、分子センサ、ジャイロ、気圧計、湿度計、温度計、赤外線センサなどを含んでもよく、ここでは例を省略する。
【０１２２】
表示ユニット５０６は、ユーザによって入力された情報又はユーザに提供される情報を表示するために用いられる。表示ユニット５０６は、表示パネル５０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で、表示パネル５０６１を配置してもよい。
【０１２３】
ユーザ入力ユニット５０７は、入力された数字又は文字情報の受信、および端末のユーザの設置や機能制御に関するキー信号入力の発生に用いられてもよい。具体的には、ユーザ入力ユニット５０７は、タッチパネル５０７１及び他の入力機器５０７２を含む。タッチパネル５０７１は、タッチスクリーンとも呼ばれ、その上又はその近傍でのユーザによるタッチ操作（例えば、ユーザが指、タッチペンなどの任意の適切な物体又は付属品を用いて、タッチパネル５０７１の上又はタッチパネル５０７１の近傍で行う操作）を収集することができる。タッチパネル５０７１は、タッチ検出装置とタッチコントローラの２部分を含んでもよい。そのうち、タッチ検出装置は、ユーザによるタッチの方向を検出するとともに、タッチ操作による信号を検出し、信号をタッチコントローラに伝送する。タッチコントローラは、タッチ検出装置からタッチ情報を受信して、タッチポイント座標に変換してから、プロセッサ５１０に送信し、また、プロセッサ５１０から送信されてきたコマンドを受信して実行する。また、タッチパネル５０７１は、抵抗式、静電容量式、赤外線及び表面音波などの種々のタイプのものを用いて実現されてもよい。タッチパネル５０７１以外、ユーザ入力ユニット５０７は、他の入力機器５０７２をさらに含んでもよい。具体的には、他の入力機器５０７２は、物理的キーボード、機能キー（例えば、音量制御キー、スイッチキーなど）、トラックボール、マウス、操作レバーを含んでもよいが、それらに限らない。ここでは例を省略する。
【０１２４】
さらに、タッチパネル５０７１は、表示パネル５０６１に覆われてもよい。タッチパネル５０７１は、その上又は近傍でのタッチ操作を検出した場合、プロセッサ５１０に送信してタッチイベントのタイプを特定し、その後、プロセッサ５１０は、タッチイベントのタイプに応じて相応な視覚的な出力を表示パネル５０６１に提供する。図５では、タッチパネル５０７１と表示パネル５０６１は、２つの独立した部材として、端末の入力と出力機能を実現するものであるが、なんらかの実施例では、タッチパネル５０７１と表示パネル５０６１を集積して端末の入力と出力機能を実現させてもよい。具体的には、ここでは限定しない。
【０１２５】
インターフェースユニット５０８は、外部装置と端末５００との接続のためのインターフェースである。例えば、外部装置は、有線又は無線ヘッドフォンポート、外部電源（又は電池充電器）ポート、有線又は無線データポート、メモリカードポート、識別モジュールを有する装置への接続用のポート、オーディオ入力／出力（Ｉ／Ｏ）ポート、ビデオＩ／Ｏポート、イヤフォンポートなどを含んでもよい。インターフェースユニット５０８は、外部装置からの入力（例えば、データ情報、電力など）を受信するとともに、受信した入力を端末５００内の１つ又は複数の素子に伝送し、又は、端末５００と外部装置の間にデータを伝送するために用いられてもよい。
【０１２６】
メモリ５０９は、ソフトウェアプログラム及び種々のデータを記憶するために用いられてもよい。メモリ５０９は、主に、オペレーティングシステム、少なくとも１つの機能に必要なアプリケーションプログラム（例えば、音声放送機能、画像放送機能など）などを記憶することができるプログラム記憶エリアと、携帯電話の利用によって作成されたデータ（例えば、オーディオデータ、電話帳など）などを記憶することができるデータ記憶エリアを含んでもよい。また、メモリ５０９は、高速ランダムアクセスメモリを含んでもよく、例えば、不揮発性メモリ、例えば少なくとも１つの磁気ディスクメモリ、フラッシュデバイス、又は、他の揮発性ソリッドステートメモリをさらに含んでもよい。
【０１２７】
プロセッサ５１０は、端末の制御センターであり、種々のインターフェースや回路によって端末全体の各部分に接続され、メモリ５０９内に記憶されたソフトウェアプログラム及び／又はモジュールを運行又は実行させること、及びメモリ５０９内に記憶されたデータを呼び出すことにより、端末の種々の機能を実行し、データを処理することで、端末全体をモニタリングする。プロセッサ５１０は、１つ又は複数の処理ユニットを含んでもよい。選択的に、プロセッサ５１０は、アプリケーションプロセッサとモデムプロセッサとを集積するものであってもよい。そのうち、アプリケーションプロセッサは主にオペレーティングシステム、ユーザインターフェース、及び、アプリケーションプログラムなどを処理するためのものであり、モデムプロセッサは主に無線通信を処理するためのものである。理解できるように、上記モデムプロセッサは、プロセッサ５１０に集積されなくてもよい。
【０１２８】
端末５００は、各部材に対して電力を供給する電源５１１（例えば、バッテリ）をさらに含んでもよい。選択的に、電源５１１は、電源管理システムによってプロセッサ５１０にロジック的に接続されてもよい。それにより、電源管理システムによって、充放電の管理や電力消耗管理などの機能を実現させることができる。
【０１２９】
また、端末５００は、図示されないいくつかの機能モジュールを含んでもよいが、ここでは例を省略する。
【０１３０】
具体的には、図６は、本開示の各実施例におけるネットワーク機器を実現するハードウェア構造模式図である。前記ネットワーク機器６０は、バス６１と、送受信機６２と、アンテナ６３と、バスインターフェース６４と、プロセッサ６５と、メモリ６６とを含むが、それらに限らない。
【０１３１】
本開示の実施例では、前記ネットワーク機器６０は、メモリ６６に記憶され、プロセッサ６５上で運行できるプログラムをさらに含む。
【０１３２】
選択的に、ネットワーク機器６０が送信側である場合に、プログラムがプロセッサ６５によって実行されるとき、以下のステップを実現させる。
【０１３３】
ネットワーク機器６０のＲＲＣレイヤエンティティーのＲＲＣセグメンテーション機能又は新しいプロトコルレイヤエンティティーのＲＲＣセグメンテーション機能を利用して、それぞれがネットワーク機器６０により生成されたＲＲＣメッセージにおけるデータコンテンツの一部を携帯している複数のＲＲＣセグメントを生成し、前記複数のＲＲＣセグメントを端末に送信する。
【０１３４】
選択的に、ネットワーク機器６０が受信側である場合に、コンピュータプログラムがプロセッサ６５によって実行されるとき、以下のステップを実現させる。
【０１３５】
端末から、それぞれが前記端末により生成されたＲＲＣメッセージにおけるデータコンテンツの一部を携帯している複数のＲＲＣセグメントを受信し、ネットワーク機器６０のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得る。
【０１３６】
送受信機６２は、プロセッサ６５の制御でデータを送受信するために用いられる。
【０１３７】
図６では、バスアーキテクチャ（バス６１により代表される）、バス６１には、任意の数の相互接続されたバスとブリッジが含まれてもよい。バス６１は、プロセッサ６５によって代表される１つ又は複数のプロセッサを、メモリ６６によって代表されるメモリの種々の回路と接続している。バス６１は、さらに、周辺機器、電圧調整器、及びパワー管理回路などのような種々の他の回路を接続してもよい。それは、本分野でよく知られているものである。そのため、本明細書では、更なる説明を省略する。バスインターフェース６４はバス６１と送受信機６２の間にインターフェースを提供する。送受信機６２は１つの素子であってもよく、複数の素子であってもよく、例えば、複数の受信機と送信機である。伝送媒体において種々の他の装置と通信するためのユニットを提供する。プロセッサ６５により処理されたデータはアンテナ６３を介して無線媒体で伝送され、さらに、アンテナ６３はさらにデータを受信してプロセッサ６５に送信する。
【０１３８】
プロセッサ６５は、バス６１や一般的な処理の管理を担当し、タイミング、外周インターフェース、電圧調整、電源管理、及び他の制御機能を含む種々の機能を提供することもできる。メモリ６６は、操作実行時にプロセッサ６５によって使用されるデータを記憶するために用いられる。
【０１３９】
選択的に、プロセッサ６５は、ＣＰＵ、ＡＳＩＣ、ＦＰＧＡ又はＣＰＬＤであってもよい。
【０１４０】
本開示の実施例は、コンピュータ可読記憶媒体をさらに提供する。コンピュータ可読記憶媒体にはプログラムが記憶されており、このプログラムがプロセッサによって実行されるとき、上記データ伝送方法についての実施例における各プロセスを実現することができ、且つ、同様な技術的効果を実現することができる。説明の重複を回避するために、ここでは説明を省略する。ただし、このコンピュータ可読記憶媒体は、例えば、リードオンリーメモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスクなどである。
【０１４１】
説明すべきことは、本明細書において、「含む」、「包含」という用語又はその他の任意の変形は、非排除性の「含む」を意図的にカバーするものであるそれにより、一連の要素を含むプロセス、方法、物品又は装置は、それらの要素を含むだけではなく、明確にリストされていていない他の要素も含み、又はこのようなプロセス、方法、物品又は装置に固有の要素も含む。それ以上の制限がない場合に、「．．．．．．を１つ含む」という文章で限定された要素について、この要素を含むプロセス、方法、物品又は装置には他の同じ要素が存在することが排除されていない。
【０１４２】
以上の実施の形態の記述によって、当業者であればはっきりと分かるように、上記実施例の方法は、ソフトウェアと必要な汎用ハードウェアプラットフォームの方式によって実現されてもよい。無論、ハードウェアによっても実現されるが、多くの場合、前者は好適な実施の形態である。このような理解を踏まえて、本開示の技術案は、実質には又は関連技術に寄与した部分がソフトウェア製品の形式によって表われてもよい。このコンピュータソフトウェア製品は、一つの記憶媒体（例えば、ＲＯＭ／ＲＡＭ、磁気ディスク、光ディスク）に記憶され、一台の端末（携帯電話、コンピュータ、サーバ、エアコン、又はネットワーク側機器などであってもよい）に本開示の各実施例に記載の方法を実行させるための若干の指令を含む。
【０１４３】
以上は、添付図面を結び付けながら、本開示の実施例を記述していたが、本開示は、上述した具体的な実施の形態に限らず、上述した具体的な実施の形態は例示的なものに過ぎず、制限性のあるものではない。当業者は、本開示による示唆を基にして、本開示の趣旨や請求項が保護する範囲から逸脱しない限り、多くの形式の変更を行うことができ、それらはいずれも本開示の保護範囲に入っている。
【図１】
2022502954.tif 000003
【図２】
2022502954.tif 000004
【図３】
2022502954.tif 000005
【図４】
2022502954.tif 000006
【図５】
2022502954.tif 000007
【図６】
2022502954.tif 000008
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
端末とネットワーク機器のいずれか一つである通信機器送信側に用いられるデータ伝送方法であって、
前記通信機器送信側の無線リソース制御ＲＲＣレイヤエンティティーのＲＲＣセグメンテーション機能又は新しいプロトコルレイヤエンティティーのＲＲＣセグメンテーション機能を利用して、それぞれが前記通信機器送信側により生成されたＲＲＣメッセージにおけるデータコンテンツの一部を携帯している複数のＲＲＣセグメントを生成することと、
前記複数のＲＲＣセグメントを通信機器受信側に送信することとを含む、データ伝送方法。
【請求項２】
前記通信機器送信側が端末である場合に、前記新しいプロトコルレイヤエンティティーは、
シグナリング無線ベアラＳＲＢに関連すること、データベアラＤＲＢに関連すること、端末に関連すること、およびセルグループに関連すること、のうちの一つであり、
又は、前記通信機器送信側がネットワーク機器である場合に、前記新しいプロトコルレイヤエンティティーは、
ＳＲＢに関連すること、ＤＲＢに関連すること、およびセルグループに関連すること、のうちの一つである、請求項１に記載の方法。
【請求項３】
前記通信機器送信側が端末であり、且つ前記新しいプロトコルレイヤエンティティーがセルグループに関連する場合に、前記方法は、
新しいプロトコルレイヤエンティティーの配置関連情報を含むセルグループ配置情報をネットワーク機器から受信することと、
前記新しいプロトコルレイヤエンティティーがまだ確立されていない場合に、前記新しいプロトコルレイヤエンティティーの配置関連情報に基づいて、一次セルグループＭＣＧ及び／又は二次セルグループＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起することとをさらに含み、
又は、
前記通信機器送信側がネットワーク機器であり、且つ前記新しいプロトコルレイヤエンティティーがセルグループに関連する場合に、前記方法は、
新しいプロトコルレイヤエンティティーの配置関連情報を含むセルグループ配置情報を取得することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うこととをさらに含む、請求項２に記載の方法。
【請求項４】
前記通信機器送信側が端末であり、且つ前記新しいプロトコルレイヤエンティティーがＳＲＢ又はＤＲＢに関連する場合に、前記方法は、
ネットワーク機器からＳＲＢの配置情報又はＤＲＢの配置情報を受信することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含み、
又は、
前記通信機器送信側がネットワーク機器であり、且つ前記新しいプロトコルレイヤエンティティーがＳＲＢ又はＤＲＢに関連する場合に、前記方法は、
ＳＲＢの配置情報又はＤＲＢの配置情報を取得することと、
前記ＳＲＢの配置情報に基づき、相応なＳＲＢに対応する新しいプロトコルレイヤエンティティーを確立及び／又はリリースし、又は、前記ＤＲＢの配置情報に基づき、相応なＤＲＢに対応する新しいプロトコルレイヤエンティティーを確立及び／又はリリースすることとをさらに含む、請求項２に記載の方法。
【請求項５】
前記通信機器送信側が端末である場合に、前記方法は、
ネットワーク機器から前記ＲＲＣセグメンテーション機能のアクティブ化シグナリング又は非アクティブ化シグナリングを受信することと、
前記アクティブ化シグナリングに基づき、前記ＲＲＣセグメンテーション機能に対してアクティブ化処理を行い、又は、前記非アクティブ化シグナリングに基づき、前記ＲＲＣセグメンテーション機能に対して非アクティブ化処理を行うこととをさらに含む、請求項１に記載の方法。
【請求項６】
前記ＲＲＣセグメンテーション機能のアクティブ化条件は、
ネットワーク機器が、端末から報告された能力情報の一部を受信したこと、
ネットワーク機器が、端末から送信された、前記端末の能力情報がパケットデータコンバージェンスプロトコルＰＤＣＰサービスデータユニットＳＤＵのサイズの最大値を超えることを指示する能力関連情報を受信したこと、
ネットワーク機器が、端末から送信された、前記端末の能力情報がＰＤＣＰ  ＳＤＵのサイズの最大値を超えることを指示する補助情報を受信したこと、
ネットワーク機器が、端末から送信されたＲＲＣセグメンテーション機能のアクティブ化要求メッセージを受信したこと、のうちの少なくとも１つである、請求項５に記載の方法。
【請求項７】
前記ＲＲＣセグメンテーション機能の非アクティブ化条件は、
ネットワーク機器が、端末から報告された能力情報の一部を予め設定される時間内に受信していないこと、
ネットワーク機器が、端末から送信された、前記端末の能力情報がＰＤＣＰ  ＳＤＵのサイズの最大値を超えることを指示する能力関連情報を予め設定される時間内に受信していないこと、
ネットワーク機器が、端末から送信された、前記端末の能力情報がＰＤＣＰ  ＳＤＵのサイズの最大値を超えることを指示する補助情報を予め設定される時間内に受信していないこと、
ネットワーク機器が、端末から送信されたＲＲＣセグメンテーション機能の非アクティブ化要求メッセージを受信したこと、および
予め設定される時間内にネットワーク機器により受信された端末のＲＲＣメッセージのサイズが全て第１の予め設定されるしきい値よりも小さいこと、のうちの少なくとも１つである、請求項５に記載の方法。
【請求項８】
前記アクティブ化シグナリングは、
メディアアクセス制御レイヤＭＡＣ制御ユニットＣＥ、下りリンク制御情報ＤＣＩ及びＲＲＣメッセージ、のうちの少なくとも１つを採用し、
前記非アクティブ化シグナリングは、
ＭＡＣ  ＣＥ、ＤＣＩ及びＲＲＣメッセージ、のうちの少なくとも１つを採用する、請求項５に記載の方法。
【請求項９】
前記ＲＲＣセグメンテーション機能を担持するＲＲＣレイヤエンティティー又は新しいプロトコルレイヤエンティティーがＳＲＢに関連する場合に、前記アクティブ化シグナリングには、相応なＳＲＢのアクティブ化指示情報が含まれ、前記非アクティブ化シグナリングには、相応なＳＲＢの非アクティブ化指示情報が含まれ、
又は、前記ＲＲＣセグメンテーション機能を担持するＲＲＣレイヤエンティティー又は新しいプロトコルレイヤエンティティーがＤＲＢに関連する場合に、前記アクティブ化シグナリングには、相応なＤＲＢのアクティブ化指示情報が含まれ、前記非アクティブ化シグナリングには、相応なＤＲＢの非アクティブ化指示情報が含まれ、
又は、前記ＲＲＣセグメンテーション機能を担持するＲＲＣレイヤエンティティー又は新しいプロトコルレイヤエンティティーがセルグループに関連する場合に、前記アクティブ化シグナリングには、相応なＭＣＧ及び／又はＳＣＧのアクティブ化指示情報が含まれ、前記非アクティブ化シグナリングには、相応なＭＣＧ及び／又はＳＣＧの非アクティブ化指示情報が含まれ、
又は、前記ＲＲＣセグメンテーション機能が予め設定されるＲＲＣメッセージに対して有効になっている場合に、前記アクティブ化シグナリングには、前記アクティブ化シグナリングが対応するＲＲＣメッセージを指示するための指示情報が含まれ、前記非アクティブ化シグナリングには、前記非アクティブ化シグナリングが対応するＲＲＣメッセージを指示するための指示情報が含まれる、請求項５に記載の方法。
【請求項１０】
前記通信機器送信側が端末である場合に、前記ＲＲＣセグメンテーション機能は、
携帯されたデータ部分のサイズが第２の予め設定されるしきい値よりも大きいＲＲＣメッセージ、
端末能力を報告するためのＲＲＣメッセージ、のうちの少なくとも１つに対応し、
又は、
前記通信機器送信側がネットワーク機器である場合に、前記ＲＲＣセグメンテーション機能は、
携帯されたデータ部分のサイズが第３の予め設定されるしきい値よりも大きいＲＲＣメッセージ、
ＲＲＣ再配置メッセージ、
チャネル状態情報リファレンス信号ＣＳＩ−ＲＳに関連する測定配置情報が携帯されているＲＲＣメッセージ、および
ランダムアクセスチャネルＲＡＣＨ配置情報が携帯されているＲＲＣメッセージ、のうちの少なくとも１つに対応する、請求項１に記載の方法。
【請求項１１】
端末とネットワーク機器のいずれか一つである通信機器受信側に用いられるデータ伝送方法であって、
通信機器送信側から、それぞれが前記通信機器送信側により生成されたＲＲＣメッセージにおけるデータコンテンツの一部を携帯している複数のＲＲＣセグメントを受信することと、
前記通信機器受信側のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得ることとを含む、データ伝送方法。
【請求項１２】
前記通信機器受信側が端末であり、且つ前記新しいプロトコルレイヤエンティティーがセルグループに関連する場合に、前記方法は、
新しいプロトコルレイヤエンティティーの配置関連情報を含むセルグループ配置情報をネットワーク機器から受信することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリースを行い、又は再配置プロセスを発起することとをさらに含み、
又は、
前記通信機器受信側がネットワーク機器であり、且つ前記新しいプロトコルレイヤエンティティーがセルグループに関連する場合に、前記方法は、
新しいプロトコルレイヤエンティティーの配置関連情報を含むセルグループ配置情報を取得することと、
前記新しいプロトコルレイヤエンティティーがまだ確立されていない場合に、前記新しいプロトコルレイヤエンティティーの配置関連情報に基づいて、ＭＣＧ及び／又はＳＣＧに対応する新しいプロトコルレイヤエンティティーを確立することと、
前記新しいプロトコルレイヤエンティティーがすでに確立された場合に、前記新しいプロトコルレイヤエンティティーの配置関連情報に基づいて、前記新しいプロトコルレイヤエンティティーに対してリセット、リリース又は再配置を行うこととをさらに含む、請求項１１に記載の方法。
【請求項１３】
前記通信機器受信側がネットワーク機器である場合に、前記方法は、
端末にアクティブ化シグナリング又は非アクティブ化シグナリングを送信することを含み、
そのうち、前記アクティブ化シグナリングは、前記端末のＲＲＣレイヤエンティティーのＲＲＣセグメンテーション機能又は新しいプロトコルレイヤエンティティーのＲＲＣセグメンテーション機能をアクティブ化することを指示するために用いられ、
前記非アクティブ化シグナリングは、前記端末のＲＲＣレイヤエンティティーのＲＲＣセグメンテーション機能又は新しいプロトコルレイヤエンティティーのＲＲＣセグメンテーション機能を非アクティブ化することを指示するために用いられる、請求項１１に記載の方法。
【請求項１４】
送信側であり、且つ端末とネットワーク機器のいずれか一つである通信機器であって、
前記通信機器のＲＲＣレイヤエンティティーのＲＲＣセグメンテーション機能又は新しいプロトコルレイヤエンティティーのＲＲＣセグメンテーション機能を利用して、それぞれが前記通信機器により生成されたＲＲＣメッセージにおけるデータコンテンツの一部を携帯している複数のＲＲＣセグメントを生成するための生成モジュールと、
前記複数のＲＲＣセグメントを通信機器受信側に送信するための送信モジュールとを備える、通信機器。
【請求項１５】
受信側であり、且つ端末とネットワーク機器のいずれか一つである通信機器であって、
通信機器送信側から、それぞれが前記通信機器送信側により生成されたＲＲＣメッセージにおけるデータコンテンツの一部を携帯している複数のＲＲＣセグメントを受信するための第４の受信モジュールと、
前記通信機器のＲＲＣレイヤエンティティーのＲＲＣ再編成機能又は新しいプロトコルレイヤエンティティーのＲＲＣ再編成機能を利用して、前記複数のＲＲＣセグメントを再編成し、完全なＲＲＣメッセージを得るための再編成モジュールとを備える、通信機器。
【国際調査報告】
2022502954.tif 000009
2022502954.tif 000010
2022502954.tif 000011
2022502954.tif 000012